(57)【要約】  画面作成部は、路線上の複数の駅名を到着順に配列した駅名配列を表示する部品コンテンツＫ２〜Ｋ１９を部品コンテンツ記憶部から選択し、部品配置定義データおよび部品動作定義データにしたがって、スクロール表示領域内において複数の駅名のうちの始発駅側の一部の駅名のみが配置された状態から終着駅側の一部の駅名のみが配置された状態まで配列方向に僅かずつ移動させるとともに、部品コンテンツＫ２〜Ｋ１９のうちのスクロール表示領域外の部分は画像化せずにスクロール表示領域内の部分のみを画像化することにより時系列的に連続した複数枚のフレームを作成する。
2012066641.tif 000002
【特許請求の範囲】
【請求項１】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記案内画面上に表示させる案内コンテンツに応じて、前記列車情報に基づき、前記案内画面の構成に用いられる前記部品コンテンツを前記部品コンテンツ記憶部から選択し、前記部品配置定義データおよび前記部品動作定義データにしたがって、前記案内画面上で前記部品コンテンツの一端側の当該一端を含む一部のみを配置し表示した状態から前記部品コンテンツの他端側の当該他端を含む一部のみを配置し表示した状態まで前記部品コンテンツを前記他端側から前記一端側に僅かずつ移動させることにより、時系列的に連続した前記複数枚のフレームを作成し、これらのフレームを前記表示部にて表示させて滑らかにスクロール表示することを特徴とする映像情報配信表示システム。
【請求項２】
前記画面作成部は、前記案内コンテンツの一つである路線案内コンテンツに応じて、前記列車情報としての停車駅情報に基づき、前記列車の路線上の複数の駅名を到着順に配列した駅名配列を表示する部品コンテンツを前記部品コンテンツ記憶部から選択し、前記部品配置定義データおよび前記部品動作定義データにしたがって、前記案内画面上のスクロール表示領域内において前記複数の駅名のうちの少なくとも始発駅を含み、始発駅側の一部の駅名のみが配置された状態から前記複数の駅名のうちの少なくとも終着駅を含み、終着駅側の一部の駅名のみが配置された状態まで前記駅名配列を表示する部品コンテンツを前記駅名の配列方向に僅かずつ移動させて、スクロール表示することを特徴とする請求項１に記載の映像情報配信表示システム。
【請求項３】
前記画面作成部は、前記路線案内コンテンツに応じて、前記停車駅情報に基づき、始発駅の駅名を表示する部品コンテンツと前記始発駅の次駅から終着駅までの複数の駅名についての前記駅名配列を表示する部品コンテンツを前記部品コンテンツ記憶部から選択し、前記部品配置定義データにしたがって、前記スクロール表示領域内において前記始発駅の次駅を含む複数の駅名が前記終着駅を含まない範囲で配置されかつ前記始発駅から到着順に当該複数の駅名が配列されるよう前記始発駅の駅名を表示する部品コンテンツと前記駅名配列を表示する部品コンテンツを前記案内画面上に配置し、前記部品動作定義データにしたがって、前記始発駅の駅名を表示する部品コンテンツは固定した状態で、前記スクロール表示領域内において前記終着駅を含む複数の駅名が前記終着駅を含まない範囲で配置された状態まで前記駅名配列を表示する部品コンテンツを前記駅名の配列方向に僅かずつ移動させることにより時系列的に連続した前記複数枚のフレームを作成することを特徴とする請求項２に記載の映像情報配信表示システム。
【請求項４】
前記駅名配列を表示する部品コンテンツの移動方向は水平方向であることを特徴とする請求項３に記載の映像情報配信表示システム。
【請求項５】
前記駅名配列を表示する部品コンテンツによる前記始発駅の次駅から前記終着駅までの各駅の表示は、前記各駅の文字表記が前記水平方向から所定角度傾斜して記載されたものであることを特徴とする請求項４に記載の映像情報配信表示システム。
【請求項６】
前記駅名配列を表示する部品コンテンツは、前記始発駅の次駅から前記終着駅までの各駅の駅名をそれぞれ表示する駅数分の部品コンテンツからなることを特徴とする請求項５に記載の映像情報配信表示システム。
【請求項７】
前記画面作成部は、前記案内コンテンツの一つであるホームの設備案内コンテンツに応じて、前記列車情報としての停車駅情報に基づき、次停車駅の少なくともホームとこのホームの設備の断面構成を含む駅設備案内の部品コンテンツを前記部品コンテンツ記憶部から選択し、前記部品配置定義データおよび前記部品動作定義データにしたがって、前記案内画面上のスクロール表示領域内において前記ホームと前記ホームの設備を合わせた全体のうちの少なくとも前記ホームの一端を含む前記ホームの一端側の一部のみが配置された状態から前記ホームと前記ホームの設備を合わせた全体のうちの少なくとも前記ホームの他端を含む前記ホームの他端側の一部のみが配置された状態まで前記駅設備案内の部品コンテンツを一方向に僅かずつ移動させて、スクロール表示することを特徴とする請求項１に記載の映像情報配信表示システム。
【請求項８】
前記一方向は水平方向であることを特徴とする請求項７に記載の映像情報配信表示システム。
【請求項９】
前記ホームの設備は、前記ホームに連絡する階段、エスカレータ、エレベータ、売店、自動販売機、またはトイレであることを特徴とする請求項８に記載の映像情報配信表示システム。
【請求項１０】
前記画面作成部は、前記列車が走行中に揺れる地点を通過することを乗客に案内するための前記案内コンテンツの一つである動揺案内コンテンツに応じて、前記列車情報に基づき、前記動揺案内コンテンツの構成に用いられる部品コンテンツを前記部品コンテンツ記憶部から選択し、前記部品配置定義データにしたがって、選択された前記部品コンテンツを前記案内画面上に配置し、前記部品動作定義データにしたがって、配置された前記部品コンテンツを前記案内画面上で僅かずつ動作させることにより時系列的に連続した前記複数枚のフレームを作成し、これらのフレームを前記表示部にて表示することを特徴とする請求項１に記載の映像情報配信表示システム。
【請求項１１】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記列車が走行中に揺れる地点を通過することを乗客に案内するための前記案内コンテンツの一つである動揺案内コンテンツに応じて、前記列車情報に基づき、前記動揺案内コンテンツの構成に用いられる部品コンテンツを前記部品コンテンツ記憶部から選択し、前記部品配置定義データにしたがって、選択された前記部品コンテンツを前記案内画面上に配置し、前記部品動作定義データにしたがって、配置された前記部品コンテンツを前記案内画面上で僅かずつ動作させることにより時系列的に連続した前記複数枚のフレームを作成し、これらのフレームを前記表示部にて表示することを特徴とする映像情報配信表示システム。
【請求項１２】
前記画面作成部は、前記列車情報として前記列車のキロ程情報と前記揺れる地点のキロ程情報を前記列車情報装置から取得し、前記列車のキロ程と前記揺れる地点のキロ程との差が所定の距離以下であると判定した時に、前記動揺案内コンテンツの前記フレームによる表示を開始することを特徴とする請求項１０または１１に記載の映像情報配信表示システム。
【請求項１３】
前記画面作成部は、前記列車情報として前記列車の速度情報を前記列車情報装置から取得し、前記列車の速度に応じて、前記案内画面上における前記動揺案内コンテンツを表示する表示領域を拡大しまたは縮小しまたは移動させることを特徴とする請求項１２に記載の映像情報配信表示システム。
【請求項１４】
前記画面作成部は、前記案内コンテンツの一つである急停車案内コンテンツに応じて、前記列車情報としての急ブレーキ作動情報に基づき、急ブレーキ作動後前記列車の停車時に発生する振り戻しに注意すべき旨を表示する部品コンテンツを前記部品コンテンツ記憶部から選択し、前記部品配置定義データにしたがって、前記振り戻しに注意すべき旨を表示する部品コンテンツを前記案内画面上に配置し、前記部品動作定義データにしたがって、前記振り戻しに注意すべき旨を表示する部品コンテンツを前記案内画面上で僅かずつ動作させることにより時系列的に連続した前記複数枚のフレームを作成し、これらのフレームを前記表示部にて表示することを特徴とする請求項１に記載の映像情報配信表示システム。
【請求項１５】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記案内コンテンツの一つである急停車案内コンテンツに応じて、前記列車情報としての急ブレーキ作動情報に基づき、急ブレーキ作動後前記列車の停車時に発生する振り戻しに注意すべき旨を表示する部品コンテンツを前記部品コンテンツ記憶部から選択し、前記部品配置定義データにしたがって、前記振り戻しに注意すべき旨を表示する部品コンテンツを前記案内画面上に配置し、前記部品動作定義データにしたがって、前記振り戻しに注意すべき旨を表示する部品コンテンツを前記案内画面上で僅かずつ動作させることにより時系列的に連続した前記複数枚のフレームを作成し、これらのフレームを前記表示部にて表示することを特徴とする映像情報配信表示システム。
【請求項１６】
前記画面作成部は、前記列車情報として前記列車の速度情報を前記列車情報装置から取得し、前記急ブレーキ作動後、前記列車の速度が所定速度以下に達したか否かを判定し、その速度が前記所定速度以下に達したと判定した場合に、前記振り戻しに注意すべき旨を表示する部品コンテンツを用いた前記フレームによる前記急停車案内コンテンツの表示を開始することを特徴とする請求項１４または１５に記載の映像情報配信表示システム。
【請求項１７】
前記画面作成部は、前記列車情報として前記列車の速度情報を前記列車情報装置から取得し、前記急ブレーキ作動後、前記列車の速度に応じて、前記案内画面上における前記急停車案内コンテンツを表示する表示領域を拡大しまたは縮小しまたは移動させることを特徴とする請求項１６に記載の映像情報配信表示システム。
【請求項１８】
前記画面作成部は、前記案内コンテンツとは異なる動画または静止画からなる広告コンテンツを前記案内画面上で表示中に、前記広告コンテンツ全体を前記案内画面内で縮小して表示しつつ、前記部品配置定義データおよび前記部品動作定義データにしたがい、前記広告コンテンツの縮小により前記案内画面内に形成された余白部分に前記案内コンテンツを構成する部品コンテンツとは異なる部品コンテンツを組み込んで表示することを特徴とする請求項１に記載の映像情報配信表示システム。
【請求項１９】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記案内コンテンツとは異なる動画または静止画からなる広告コンテンツを前記案内画面上で表示中に、前記広告コンテンツ全体を前記案内画面内で縮小して表示しつつ、前記部品配置定義データおよび前記部品動作定義データにしたがい、前記広告コンテンツの縮小により前記案内画面内に形成された余白部分に前記案内コンテンツを構成する部品コンテンツとは異なる部品コンテンツを組み込んで表示することを特徴とする映像情報配信表示システム。
【請求項２０】
前記画面作成部は、列車外からまたは列車上で入力された臨時情報または定型情報の内容を描画に加工した部分コンテンツを作成し、この作成された部品コンテンツを前記余白部分に配置し移動させることを特徴とする請求項１８または１９に記載の映像情報配信表示システム。
【請求項２１】
前記表示装置は、第１の表示部とこの第１の表示部に隣接して並置された第２の表示部とを有し、
前記部品配置定義データ記憶部は、前記第１の表示部の案内画面上における第１の部品コンテンツの配置を定義する第１の部品配置定義データ、および前記第２の表示部の案内画面上における第２の部品コンテンツの配置を定義する第２の部品配置定義データを記憶し、
前記部品動作定義データ記憶部は、前記第１の表示部の案内画面上における前記第１の部品コンテンツの動作を定義する第１の部品動作定義データ、および前記第１の部品コンテンツの動作と連携した前記第２の表示部の案内画面上における前記第２の部品コンテンツの動作を定義する第２の部品動作定義データを記憶し、
前記画面作成部は、前記第１の部品配置定義データおよび前記第１の部品動作定義データにしたがって、前記第１の部品コンテンツを前記第１の表示部の案内画面上で動作させることにより前記第１の表示部にて表示を行うとともに、前記第２の部品配置定義データおよび前記第２の部品動作定義データにしたがって、前記第２の部品コンテンツを前記第２の表示部の案内画面上で動作させることにより前記第２の表示部にて表示を行うことを特徴とする請求項１に記載の映像情報配信表示システム。
【請求項２２】
前記第１の部品コンテンツと前記第２の部品コンテンツは同一の表示内容を表し、
前記第１および第２の部品動作定義データは、前記第１の部品コンテンツが前記第１の表示部の案内画面上を前記第２の表示部側に向かって移動し、前記第１の部品コンテンツが前記第１の表示部の表示画面の端に達し当該案内画面から順次消失した後は、前記第１の部品コンテンツに代わって前記第２の部品コンテンツが前記第２の表示部の案内画面上で前記第１の表示部側の端から順次出現し、さらに前記第２の部品コンテンツは前記第２の表示部の案内画面上を移動するよう前記第１および第２の部品コンテンツの動作を規定していることを特徴とする請求項２１に記載の映像情報配信表示システム。
【請求項２３】
前記第１および第２の表示部は、前記車両内のドア上部の鴨居部分または網棚付近の内壁面に水平方向に隣接して並置されていることを特徴とする請求項２１に記載の映像情報配信表示システム。
【請求項２４】
前記画面作成部が１秒間に作成するフレームの枚数は、３０〜６０枚に設定されることを特徴とする請求項１に記載の映像情報配信表示システム。
【請求項２５】
前記部品コンテンツ記憶部では、前記部品コンテンツがベクターデータとして保存されていることを特徴とする請求項１に記載の映像情報配信表示システム。
【請求項２６】
列車を構成する各車両にそれぞれ搭載され相互に連係して列車情報を管理する列車情報装置と、前記各車両にそれぞれ搭載され案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部とが搭載された列車内において前記表示装置の表示部にて映像情報を表示させる映像情報配信表示方法であって、
前記表示装置の画面作成部が、前記列車情報装置から前記列車情報を取得する第１のステップと、
前記画面作成部が、前記案内画面上に表示させる案内コンテンツに応じて、前記列車情報に基づき、前記案内画面の構成に用いられる前記部品コンテンツを前記部品コンテンツ記憶部から選択する第２のステップと、
前記画面作成部が、前記案内画面上において前記部品配置定義データにしたがって前記部品コンテンツの一端側の一部のみが配置された状態から前記部品動作定義データにしたがって前記部品コンテンツの他端側の一部のみが配置された状態まで前記部品コンテンツを前記他端側から前記一端側に僅かずつ移動させることにより、時系列的に連続した複数枚のフレームを作り出す元となる画像ファイルを前記フレームごとに順次作成し、これらの画像ファイルに基づく前記フレームを前記表示部にて時系列的に表示させて滑らかにスクロール表示する第３のステップと、
を含むことを特徴とする映像情報配信表示方法。
【請求項２７】
前記第２のステップでは、前記画面作成部は、前記案内コンテンツの一つである路線案内コンテンツに応じて、前記列車情報としての停車駅情報に基づき、前記列車の路線上の複数の駅名を到着順に配列した駅名配列を表示する部品コンテンツを前記部品コンテンツ記憶部から選択し、
前記第３のステップでは、前記画面作成部は、前記部品配置定義データおよび前記部品動作定義データにしたがって、前記案内画面上のスクロール表示領域内において前記複数の駅名のうちの少なくとも始発駅を含み、始発駅側の一部の駅名のみが配置された状態から前記複数の駅名のうちの少なくとも終着駅を含み、終着駅側の一部の駅名のみが配置された状態まで前記駅名配列を表示する部品コンテンツを前記駅名の配列方向に僅かずつ移動させて、スクロール表示することを特徴とする請求項２６に記載の映像情報配信表示方法。
【請求項２８】
前記第２のステップでは、前記画面作成部は、前記案内コンテンツの一つであるホームの設備案内コンテンツに応じて、前記列車情報としての停車駅情報に基づき、次停車駅の少なくともホームとこのホームの設備の断面構成を含む駅設備案内の部品コンテンツを前記部品コンテンツ記憶部から選択し、
前記第３のステップでは、前記画面作成部は、前記部品配置定義データおよび前記部品動作定義データにしたがって、前記案内画面上のスクロール表示領域内において前記ホームと前記ホームの設備を合わせた全体のうちの少なくとも前記ホームの一端を含む前記ホームの一端側の一部のみが配置された状態から前記ホームと前記ホームの設備を合わせた全体のうちの少なくとも前記ホームの他端を含む前記ホームの他端側の一部のみが配置された状態まで前記駅設備案内の部品コンテンツを一方向に僅かずつ移動させて、スクロール表示することを特徴とする請求項２６に記載の映像情報配信表示方法。
【請求項２９】
前記画面作成部は、前記列車が走行中に揺れる地点を通過することを乗客に案内するための前記案内コンテンツの一つである動揺案内コンテンツに応じて、前記列車情報に基づき、前記案内画面の構成に用いられる部品コンテンツを前記部品コンテンツ記憶部から選択し、前記部品配置定義データにしたがって、選択された前記部品コンテンツを前記案内画面上に配置し、前記部品動作定義データにしたがって、配置された前記部品コンテンツを前記案内画面上で僅かずつ動作させることにより時系列的に連続した前記複数枚のフレームを作成し、これらのフレームを前記表示部にて表示することを特徴とする請求項２６に記載の映像情報配信表示方法。
【請求項３０】
前記画面作成部は、前記案内コンテンツの一つである急停車案内コンテンツに応じて、前記列車情報としての急ブレーキ作動情報に基づき、急ブレーキ作動後前記列車の停車時に発生する振り戻しに注意すべき旨を表示する部品コンテンツを前記部品コンテンツ記憶部から選択し、前記部品配置定義データにしたがって、前記振り戻しに注意すべき旨を表示する部品コンテンツを前記案内画面上に配置し、前記部品動作定義データにしたがって、前記振り戻しに注意すべき旨を表示する部品コンテンツを前記案内画面上で僅かずつ動作させることにより時系列的に連続した前記複数枚のフレームを作成し、これらのフレームを前記表示部にて表示することを特徴とする請求項２６に記載の映像情報配信表示方法。
【請求項３１】
列車を構成する各車両にそれぞれ搭載され相互に連係して列車情報を管理する列車情報装置と、前記各車両にそれぞれ搭載され案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部とが搭載された列車内において前記表示装置の表示部にて映像情報を表示させる映像情報配信表示方法であって、
前記表示装置の画面作成部が、前記列車情報装置から前記列車情報を取得する第１のステップと、
前記画面作成部が、前記案内画面上に表示させる案内コンテンツであって前記列車が走行中に揺れる地点を通過することを乗客に案内するための案内コンテンツの一つである動揺案内コンテンツに応じて、前記列車情報に基づき、前記案内画面の構成に用いられる前記部品コンテンツを前記部品コンテンツ記憶部から選択する第２のステップと、
前記画面作成部が、前記部品配置定義データにしたがって、選択された前記部品コンテンツを前記案内画面上に配置し、前記部品動作定義データにしたがって、配置された前記部品コンテンツを前記案内画面上で僅かずつ動作させることにより時系列的に連続した前記複数枚のフレームを作成し、これらのフレームを前記表示部にて表示する第３のステップと、
を含むことを特徴とする映像情報配信表示方法。
【請求項３２】
列車を構成する各車両にそれぞれ搭載され相互に連係して列車情報を管理する列車情報装置と、前記各車両にそれぞれ搭載され案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部とが搭載された列車内において前記表示装置の表示部にて映像情報を表示させる映像情報配信表示方法であって、
前記表示装置の画面作成部が、前記列車情報装置から前記列車情報を取得する第１のステップと、
前記画面作成部が、前記案内画面上に表示させる案内コンテンツの一つである急停車案内コンテンツに応じて、前記列車情報としての急ブレーキ作動情報に基づき、前記案内画面の構成に用いられる前記部品コンテンツであって急ブレーキ作動後前記列車の停車時に発生する振り戻しに注意すべき旨を表示する部品コンテンツを前記部品コンテンツ記憶部から選択する第２のステップと、
前記部品配置定義データにしたがって、前記振り戻しに注意すべき旨を表示する部品コンテンツを前記案内画面上に配置し、前記部品動作定義データにしたがって、前記振り戻しに注意すべき旨を表示する部品コンテンツを前記案内画面上で僅かずつ動作させることにより時系列的に連続した前記複数枚のフレームを作成し、これらのフレームを前記表示部にて表示する第３のステップと、
を含むことを特徴とする映像情報配信表示方法。
【発明の詳細な説明】
【技術分野】
【０００１】
本発明は、列車の車両内に設置された表示装置を用いて映像情報を配信提供する映像情報配信表示システムおよび映像情報配信表示方法に関するものである。
【背景技術】
【０００２】
近時、列車の車両内に設置された表示装置を用いて乗客に映像情報を配信提供するシステムが提案され実用化されている（例えば特許文献１，２参照）。【０００３】
これらの従来の映像情報配信表示システムでは、行先案内などの案内画面を構成するコンテンツ（以下、「案内コンテンツ」と称す。）は、各画面ごとに一枚のコンテンツとして予め表示装置の記憶部に記憶されている。【０００４】
このように従来の映像情報配信表示システムでは、記憶部に記憶された各画面ごとに１枚の案内コンテンツを表示させるため、列車種別、行先、または号車番号などの列車情報の一部が異なるだけでその他は同じ情報であっても、新たに１枚の案内コンテンツを作成し、これを記憶部に保存する必要があった。そのため、案内コンテンツの枚数に応じてデータ記憶容量が大きくなるという問題があった。【０００５】
また、上記従来の映像情報配信表示システムでは、駅の増設などに対応する場合は、列車種別、行先、および号車番号などの共通部分があっても、新規に案内コンテンツ全体を作成する必要があり、案内コンテンツの増大を招くという問題があった。さらにまた、例えば日付情報などを追記したい場合、日付情報データを全案内コンテンツに追記しなければならず、案内コンテンツの修正に多大な時間と労力が必要になるという問題があった。【０００６】
これらの問題に対して、特許文献３では、列車情報に応じた静止画の案内画面を表示する表示装置を備えたシステムにおいて、案内画面を構成する各情報のそれぞれに対応する部品レベルのコンテンツである部品コンテンツを記憶する記憶部を設け、列車情報に応じて必要な部品コンテンツをこの記憶部から選択し、選択した部品コンテンツを案内画面上の所定位置に配置することにより案内画面を構成している。これにより、データ記憶容量を小さくすることができ、さらに案内コンテンツの追加、修正にも容易に対応することができる。
【先行技術文献】
【特許文献】
【０００７】
【特許文献１】特開２００２−１２７９０５号公報
【特許文献２】特開２００３−９５１０５号公報
【特許文献３】特許第３８７５９５０号公報
【発明の概要】
【発明が解決しようとする課題】
【０００８】
しかしながら、上記特許文献３に記載のシステムでは、案内画面は静止画であるため、乗客に対して提供される情報量や注目度が例えば動画の場合に比べると一般的には少ないという問題があった。一方、列車内の表示装置にて例えば動画の案内画面を表示することも考えられるが、従来のシステムでは、動画の表示に莫大なデータ記憶容量が必要になるという問題があった。【０００９】
本発明は、上記に鑑みてなされたものであって、案内コンテンツの表示に必要なデータ記憶容量を大幅に低減しつつ、乗客に対する情報量や注目度を大きくすることができるとともに表示内容の追加、修正にも容易に対応することができる映像情報配信表示システムおよび映像情報配信表示方法を提供することを目的とする。
【課題を解決するための手段】
【００１０】
上述した課題を解決し、目的を達成するために、本発明に係る映像情報配信表示システムは、列車を構成する各車両にそれぞれ搭載され、相互に連係して列車情報を管理する列車情報装置と、前記各車両にそれぞれ搭載され、案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部と、前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、を備え、前記画面作成部は、前記案内画面上に表示させる案内コンテンツに応じて、前記列車情報に基づき、前記案内画面の構成に用いられる前記部品コンテンツを前記部品コンテンツ記憶部から選択し、前記部品配置定義データおよび前記部品動作定義データにしたがって、前記案内画面上で前記部品コンテンツの一端側の当該一端を含む一部のみを配置し表示した状態から前記部品コンテンツの他端側の当該他端を含む一部のみを配置し表示した状態まで前記部品コンテンツを前記他端側から前記一端側に僅かずつ移動させることにより、時系列的に連続した前記複数枚のフレームを作成し、これらのフレームを前記表示部にて表示させて滑らかにスクロール表示することを特徴とする。
【発明の効果】
【００１１】
この発明によれば、部品コンテンツを動作させてアニメーション動画のようにスムーズに動いて見える案内画面を構成するようにしたので、表示に必要なデータ記憶容量を大幅に低減することができる。また、この発明によれば、静止画を利用した場合に比べて、乗客に対する情報提供量や注目度を増やすことができる。【００１２】
また、この発明によれば、案内画面を部品コンテンツにより構成するとともに、部品コンテンツの配置および動作を部品配置定義データおよび部品動作定義データにより定義するようにしたので、表示内容の追加、修正にも容易に対応することができる。【００１３】
さらに、この発明によれば、路線上の複数の駅名のすべてを一画面内に同時に表示するのではなく、駅名の配列をスクロールさせながら表示するようにしているので、文字サイズを小さくすることなく複数の駅名のすべてを表示することができる。
【図面の簡単な説明】
【００１４】
【図１】図１は、実施の形態１に係る映像情報配信表示システムの全体構成を示す図である。
【図２】図２は、表示装置の構成を示すブロック図である。
【図３】図３は、記憶部の記憶内容の一例を示す図である。
【図４】図４は、案内画面の構成の一例を示す図である。
【図５】図５は、部品コンテンツの動作例を示す図である。
【図６】図６は、画面作成部の機能構成を示す図である。
【図７】図７は、記憶部の記憶内容のさらに詳細な例を示す図である。
【図８】図８は、実施の形態１の動作を示すフローチャートである。
【図９】図９は、図８に続くフローチャートである。
【図１０】図１０は、駅間における案内表示例を示す図である。
【図１１】図１１は、案内コンテンツの表示方法を模式的に示す図である。
【図１２】図１２は、部品コンテンツの一例を示す図である。
【図１３】図１３は、実施の形態２による案内コンテンツの表示例を示す図である。
【図１４】図１４は、文字描画としての部品コンテンツの一例を示す図である。
【図１５】図１５は、実施の形態２によるＣＭ案内の表示例を示す図である。
【図１６】図１６は、実施の形態３における部品コンテンツの動作例を示す図である。
【図１７】図１７は、部品コンテンツの一例を示す図である。
【図１８】図１８は、パーツＲおよびパーツＳの縮小方向を示す模式図である。
【図１９】図１９は、実施の形態４による路線案内の表示例を示す図である。
【図２０】図２０は、路線案内のスクロール表示を説明するための図である。
【図２１】図２１は、部品コンテンツＫ１の初期配置を説明するための図である。
【図２２】図２２は、画像ファイル生成部による画像トリミングについて説明するための図である。
【図２３】図２３は、従来の路線案内の一例を示す図である。
【図２４】図２４は、実施の形態４による駅のホームの設備案内の表示例を示す図である。
【図２５】図２５は、従来のホームの設備案内の一例を示す図である。
【図２６】図２６は、従来の駅全体の設備案内の一例を示す図である。
【図２７】図２７は、従来の駅全体の設備案内の一例を示す図である。
【図２８】図２８は、従来の駅全体の設備案内の一例を示す図である。
【図２９】図２９は、従来の駅全体の設備案内の一例を示す図である。
【図３０】図３０は、従来の駅全体の設備案内の一例を示す図である。
【図３１】図３１は、実施の形態５による動揺案内の動作を説明するための図である。
【図３２】図３２は、動揺案内をキロ程に応じて拡大または縮小等の制御を行う例を示した図である。
【図３３】図３３は、実施の形態６による急停車案内について説明するための図である。
【図３４】図３４は、実施の形態７における表示装置の構成を示すブロック図である。
【図３５】図３５は、実施の形態７による表示制御の一例を説明するための図である。
【発明を実施するための形態】
【００１５】
以下に、本発明に係る映像情報配信表示システムおよび映像情報配信表示方法の実施の形態を図面に基づいて詳細に説明する。なお、この実施の形態によりこの発明が限定されるものではない。実施の形態１〜３（但し、実施の形態２の図１５（ｂ）に対応する内容等は除く）は、本出願人が日本国特許庁に出願した特願２０１０−５０８６３９の記載に基づくものである。
【００１６】
実施の形態１．
図１は、本実施の形態に係る映像情報配信表示システムの全体構成を示す図である。本実施の形態に係る映像情報配信表示システムは、例えば複数台の車両（１号車〜ｎ号車；ｎは２以上の整数）からなる列車上に構築された車上システム７０と、地上システムとしての地上局５１とから構成される。車上システム７０は、列車情報装置１０，１１、映像情報配信装置２０、分岐装置２１、表示装置３０、および無線送受信装置５０等を備えている。車上システム７０は、無線送受信装置５０により、地上局５１との間でデータの送受信を行うことができる。
【００１７】
列車情報装置１０は例えば先頭車両（１号車）に搭載された列車情報中央装置であり、列車情報装置１１はそれぞれ各車両に搭載された列車情報端末装置である。列車情報装置１０，１１は互いに伝送路１２を介して接続され、相互に連係して列車情報の管理、収集等を行い、列車情報を共有する。なお、列車情報装置１０は各種制御装置と接続され、列車情報装置１１を統括する。列車情報装置１０，１１により管理される列車情報の一例を挙げれば、停車駅情報、列車種別情報、号車情報、列車名情報、走行位置情報、速度情報、ドア開閉情報などである。なお、これらの列車情報は、映像情報配信装置２０から、伝送路２２を介して、分岐装置２１へ通知されてもよい。
【００１８】
映像情報配信装置２０は、例えば先頭車両に搭載されており、必要に応じて保有する映像情報の配信を行う。映像情報配信装置２０は、同車両の列車情報装置１０および無線送受信装置５０とそれぞれ接続されている。さらに、映像情報配信装置２０は、各車両にそれぞれ搭載された分岐装置２１と伝送路２２を介して接続され、分岐装置２１はそれぞれ例えば複数台の表示装置３０と接続されている。すなわち、各車両にはそれぞれ例えば複数台の表示装置３０がドア周辺の鴨居部分や窓周辺の鴨居部分等の車内壁面または座席周辺（シート背もたれ、肘掛部等）に搭載されている。
【００１９】
地上局５１からは車上システム７０に対して路線の運行情報等が送信され、送信された路線の運行情報等が無線送受信装置５０により受信される。受信された路線の運行情報等は、映像情報配信装置２０を経由して、列車情報装置１０に送信され、さらに伝送路１２を介して各車両に搭載された列車情報装置１１に送信される。また、列車情報装置１０には、運行開始時に当該列車の運行情報（例えば、行先、列車種別、発駅など）が入力設定される。運行開始時に入力設定されたこれらの運行情報は、伝送路１２を介して各車両の列車情報装置１１に送信される。また、各車両の列車情報装置１１により収集された列車情報は、伝送路１２を介して互いに送受信され、これらの列車情報は列車情報装置１１および列車情報装置１０により共有される。各車両の列車情報装置１１は、それぞれ分岐装置２１を介して、列車情報を表示装置３０に送信する。なお、これらの運行情報は、映像情報配信装置２０から、伝送路２２を介して、分岐装置２１へ通知されてもよい。
【００２０】
また、映像情報配信装置２０は、無線送受信装置５０により、地上局５１から映像情報（「静止画」および「動画」（広告コンテンツ等）を含む情報）を取得する。この映像情報は、例えば後述する部品コンテンツデータである。映像情報配信装置２０は、受信した映像情報を、例えば列車情報の配信と同じ経路、すなわち、列車情報装置１０、列車情報装置１１、分岐装置２１を経由して、各車両に搭載された表示装置３０に送信する。なお、映像情報を地上局５１から取得するかわりに、記憶媒体やノートＰＣ等（図示せず）を用いて映像情報配信装置２０に直接入力することもできる。また、映像情報配信装置２０から表示装置３０への映像情報の伝送経路は、上記の他に、列車情報装置１０，１１を経由せずに直接分岐装置２１を経由して表示装置３０に至る経路とすることもできる。このとき、分岐装置２１は、伝送路２２に流れる信号を各車両に設けられた表示装置３０に分岐させる。このように、これらの列車情報は、映像情報配信装置２０から、伝送路２２を介して、分岐装置２１へ通知されてもよい。
【００２１】
図２は、表示装置３０の構成を示すブロック図である。表示装置３０は、後述する種々の定義データおよび部品コンテンツデータ等を記憶するメモリ等の記憶部３１と、この記憶部３１に接続され映像情報の案内画面を作成する画面作成部３２と、この画面作成部３２の作成した案内画面を表示する表示部３３と、を備えて構成される。画面作成部３２は、例えばＣＰＵ等のハードウェアとこのハードウェアと協働する所定のソフトウェアにより実現される。
【００２２】
図３は、記憶部３１の記憶内容の一例を示す図である。図３に示すように、記憶部３１は、案内画面の構成に用いられる部品レベルのコンテンツである部品コンテンツを記憶する部品コンテンツ記憶部３１Ａと、案内画面上での部品コンテンツの配置位置を定義する部品配置定義データを記憶する部品配置定義データ記憶部３１Ｂと、案内画面上での部品コンテンツの動作を定義する部品動作定義データを記憶する部品動作定義データ記憶部３１Ｃと、を備えている。後述するように、部品コンテンツは部品としての画像（データ）である。部品配置定義データは、部品配置定義データファイルに例えばテキスト形式で記載される。部品動作定義データは、部品動作定義データファイルに例えばテキスト形式で記載される。なお、図３では、記憶部３１は表示装置３０内の記憶領域を総括的して示したものである。したがって、必ずしも部品コンテンツ記憶部３１Ａ、部品配置定義データ記憶部３１Ｂ、および部品動作定義データ記憶部３１Ｃのすべてが同一の記憶媒体の中に記憶されていることを示すものではなく、それらが例えば個別の記憶媒体に記憶されていてもよい。
【００２３】
ここで、画面作成部３２による案内画面作成処理の概要を説明する。なお、動作の詳細は後述する。まず、本実施の形態では、特許文献３に記載の静止画の場合と同様に、案内画面をパーツ（部品）を組み立てて構成する。例えば図４に示すように、案内画面１に列車種別１０１、行先１０２、号車番号１０３、案内種別１０４、および駅名１０５の各情報が表示される場合に、これらの情報をそれぞれパーツ（部品）として構成する。そして、画面作成部３２は、列車情報装置１１から列車情報を取得した後、得られた列車情報に対応する部品コンテンツを各パーツごとに部品コンテンツ記憶部３１Ａから選択する。例えば、列車情報に基づき列車種別が「各駅停車」であると判断された場合、画面作成部３２は、列車種別１０１の表示に使用すべき部品コンテンツとして「各停＿ゆき」を選択する。他の部品についても同様であり、画面作成部３２は列車情報に対応した部品コンテンツを選択する。なお、部品コンテンツ記憶部３１Ａ内に記憶された部品コンテンツ群は静止画の画像データであり、映像情報配信装置２０から配信されたものである。
【００２４】
つづいて、画面作成部３２は、部品配置定義データ記憶部３１Ｂに記憶された部品配置定義データを参照し、図４に示すように、案内画面１上の所定の位置に各部品コンテンツ（列車種別１０１、行先１０２、号車番号１０３、案内種別１０４、駅名１０５等）をそれぞれ配置する。すなわち、画面作成部３２は、選択された各部品コンテンツを案内画面１に貼り付け、部品コンテンツを組み立てることにより案内画面１を構成する。このようにして構成された案内画面１は案内コンテンツを構成する初期画面（１枚目のフレーム）となる。
【００２５】
なお、各部品コンテンツは１枚の案内画面に比べてデータ容量が小さく、また、様々な案内コンテンツに対して部品コンテンツを流用することができるため、このような部品コンテンツを利用することでシステム全体としてのデータ記憶容量を低減することができる。
【００２６】
また、本実施の形態では、列車情報に依存して表示内容が変化する部分（例えば図４の列車種別１０１等）のみをパーツとするのみならず、表示内容が列車情報に依存しない部分（例えばベース部分など）もパーツとすることができる。また、少なくとも一つのパーツを定義した場合、案内画面１の残りの部分もパーツとみなすことができる。例えば、一様な背景色のベース部分に図４の列車種別１０１、行先１０２、号車番号１０３、案内種別１０４、駅名１０５等を貼り付ける構成を考えたときに、ベース部分もパーツとみなすことができる。表示内容が列車情報に依存しない部分も部品化することで、このような部品も、異なる案内コンテンツ間で共用できる場合があり、システム全体のコンテンツ記憶容量の低減に寄与する。例えば平面路線図に利用されるマップ部分のパーツ化などは共用できる可能性が高いので効果的である。
【００２７】
次に、画面作成部３２は、部品動作定義データ記憶部３１Ｃに記憶された部品動作定義データを参照する。部品動作定義データは、案内画面１上での各部品コンテンツの動作を定義している。部品コンテンツの動作としては、例えば、移動動作、回転動作、拡大もしくは縮小動作、出現もしくは消滅動作などがある。ここで、出現もしくは消滅動作は、部品コンテンツの透過度が時間的に変化し、透明状態から徐々に出現しもしくは徐々に透明状態に移行する変化を表す。また、色の変化（色相、色彩、明度などの変化）もこの動作に含めることができる。なお、その他にも種々の動作を定義することができる。
【００２８】
図５は、部品コンテンツ１１０の動作例を示す図である。図５（ａ）では、部品コンテンツ１１０が一方向に平行移動する動作を示している。矢印は移動方向を示す。図５（ｂ）では、部品コンテンツ１１０Ａが案内画面１内を右回りに回転する動作を示している。また、部品コンテンツ１１０Ｂはその表示内容が案内画面１に平行な水平軸を中心に矢印の方向に回転する動作を示している。この場合、部品コンテンツ１１０Ｂの配置位置は変化しないが、その表示内容が回転する。図５（ｃ）では、部品コンテンツ１１０が拡大される動作を示している。図５（ｄ）では、部品コンテンツ１１０が矢印の方向に平行移動するとともにその透過度が時間経過とともに増し、部品コンテンツ１１０が次第に透明化される動作を示している。
【００２９】
次に、画面作成部３２は、部品動作定義データにしたがって各部品コンテンツを動作させた案内画面１を順次作成し、これを表示部３３にて表示させることにより案内コンテンツの表示を行う。詳細は後述するが、初期画面に対して各部品コンテンツを僅かに動作させた画面を作成し、さらにこの作成された画面に対して各部品コンテンツを僅かに動作させた画面を作成し、というように部品動作定義データにしたがって部品コンテンツを動作させた複数枚の画面を順次作成し、これらの画面を時系列で表示することにより案内コンテンツの表示を行う。
【００３０】
次に、図６〜図１０を参照して本実施の形態の動作を詳細に説明する。図６は画面作成部３２の機能構成を示す図、図７は記憶部３１の記憶内容のさらに詳細な例を示す図、図８は本実施の形態の動作を示すフローチャート、図９は図８に続くフローチャート、図１０は駅間における案内表示例を示す図である。
【００３１】
図６に示すように、画面作成部３２は、案内コンテンツを構成する時系列的に連続した複数のフレーム（構成画像）の作成指示内容を記載したファイルである画面作成指示ファイルを生成する画面作成指示ファイル生成部３２Ａと、この画面作成指示ファイルに基づいて各フレームを生成する画像ファイル生成部３２Ｂとを備えて構成される。また、図７に示すように、記憶部３１は、図３の構成に加えて、後述する駅停車中案内表示順データ、走行中案内表示順データ、および駅接近中案内表示順データを記憶する案内表示順データ記憶部３１Ｄを備えている。
【００３２】
図８に示すように、まず、画面作成指示ファイル生成部３２Ａは、列車情報を取得する（Ｓ１）。列車情報は、列車情報装置１１から直接取得するか、あるいは一旦記憶部３１に保存した後に記憶部３１から取得してもよい。
【００３３】
次に、画面作成指示ファイル生成部３２Ａは、取得した列車情報に基づいて列車状態を判断する（Ｓ２）。具体的には、列車状態は、例えば駅停車中、走行中、または次駅接近中に分類され、画面作成指示ファイル生成部３２Ａは、得られた列車情報から当該列車が前記３つの状態のいずれの状態にあるのかを判断する。なお、これら３つの状態は一例であって、その他の分類を採用してもよい。
【００３４】
Ｓ２における列車状態の判断の結果、当該列車が例えば駅停車中であると判断された場合、画面作成指示ファイル生成部３２Ａは、案内表示順データ記憶部３１Ｄに記憶された駅停車中案内表示順データを参照して、当該停車駅にて順次表示すべき案内コンテンツ（ロールという。）を決定する（Ｓ３）。図１０に示す例では、列車が例えば「国会議事堂前」駅に停車中の場合、案内コンテンツである「駅設備案内」を表示するが、これは当該駅にて「駅設備案内」を表示すべきことが停車中案内表示順データに記載されているからである。また、「駅設備案内」は、所定時間（この時間をＴ秒間とする。）を単位として繰り返し表示される。
【００３５】
また、Ｓ２における列車状態の判断の結果、当該列車が走行中であると判断された場合、画面作成指示ファイル生成部３２Ａは、案内表示順データ記憶部３１Ｄに記憶された走行中案内表示順データを参照して、走行中に順次表示すべき案内コンテンツ（ロール）を決定する（Ｓ４）。図１０に示す例では、列車は「国会議事堂前−霞ヶ関」駅間を走行中の場合、停車中案内表示順データの記載にしたがって、「近傍路線案内（日本語）」、「近傍路線案内（英語）」、「広域路線案内（日本語）」、および「乗換案内」をこの順で表示する。また、「近傍路線案内（日本語）」、「近傍路線案内（英語）」、「広域路線案内（日本語）」、および「乗換案内」の各案内コンテンツは、上記と同様にそれぞれＴ秒間を単位として表示され、さらにこれらのロールが繰り返し表示される。
【００３６】
また、Ｓ２における列車状態の判断の結果、列車が次駅に接近中であると判断された場合、画面作成指示ファイル生成部３２Ａは、案内表示順データ記憶部３１Ｄに記憶された駅接近中案内表示順データを参照して、次駅接近中に順次表示すべき案内コンテンツ（ロール）を決定する（Ｓ５）。図１０に示す例では、列車が例えば「霞ヶ関」駅に接近中の場合、駅接近中案内表示順データにしたがって、「次駅設備案内」および「ドア開案内」をこの順で表示する。また、「次駅設備案内」および「ドア開案内」の各案内コンテンツは、上記と同様にそれぞれＴ秒間を単位として表示され、さらにこれらのロールが繰り返し表示される。なお、列車が次駅に接近中であるか否かの判断は、例えば列車から次駅までの距離が所定距離以下であるか否かにより判断する。
【００３７】
次に、画面作成指示ファイル生成部３２Ａは、表示すべき案内コンテンツ（ロール）に応じて、列車情報に基づいて案内画面１の構成に用いる部品コンテンツを決定する（Ｓ６）。例えば、図４に示すように、列車種別１０１がパーツの一つである場合に、列車情報に基づき当該列車が「各駅停車」であると判断されたときは、部品コンテンツとして「各停＿ゆき」を決定する。
【００３８】
つづいて、画面作成指示ファイル生成部３２Ａは、部品配置定義データ記憶部３１Ｂに記憶された部品配置定義データを参照して各部品コンテンツの案内画面１上における初期配置情報を取得するとともに、部品動作定義データ記憶部３１Ｃに記憶された部品動作定義データを参照して各部品コンテンツの動作の初期情報を取得し、これらの取得された情報から案内コンテンツを構成する１枚目のフレームを作成するための作成指示内容を記載した初期ファイル６Ａを生成する（Ｓ７）。初期ファイル６Ａは、前述した画面作成指示ファイル６の一つである。なお、画面作成指示ファイルは、例えば、案内コンテンツごとに予め用意されたテンプレートファイル（図示せず）に上記取得した情報を埋め込むこむ形で作成することができる。このような画面作成指示ファイルの基礎となるテンプレートファイルは、予め記憶部３１に保存しておく。
【００３９】
ここで、部品配置定義データは、例えば案内コンテンツまたは案内の種別ごとに、構成に用いられる各部品コンテンツの配置位置を、例えば案内画面１上に設定されたＸＹ座標による座標値で定義する。部品動作定義データは、案内画面１を構成するパーツごと（すなわち部品コンテンツごと）の動作を定義する。その具体例を挙げれば、例えばパーツＰ１に関しては、開始０秒から終了Ｔ秒までの間に案内画面１上を左回りに９０°一定角速度で回転する旨が記載される。また、例えばパーツＰ２に関しては、開始０秒からＴ１秒までは静止した状態、Ｔ１秒からＴ２秒までは一定方向に等速で移動し、Ｔ２秒から終了Ｔ秒までは再び静止した状態である旨が記載される。例えばパーツＰ３に関しては、動作なしである旨記載される。また、例えばパーツＰ４に関しては、開始０秒からＴ３秒までは透過度１００％であり、Ｔ３秒からＴ４秒までの間で透過度が５０％まで減少し、Ｔ４秒から終了Ｔ秒までは再び一定の透過度で表示する旨が記載される。また、例えばパーツＰ５に関しては、開始０秒からＴ５秒までは１００％の大きさで表示し、Ｔ５秒からＴ６秒までの間で大きさを１５０％まで拡大し、Ｔ５秒から終了Ｔ秒までは再び一定の大きさを維持する旨が記載される、などである。
【００４０】
初期ファイル６Ａは、部品配置定義データから得られた部品コンテンツの初期配置位置の指示、部品コンテンツの透過度が時間的に変化する場合などは部品動作定義データから得られたその初期の透過度（すなわち、上述の動作の初期情報）の指示などを含む他、構成に使用される部品コンテンツと部品コンテンツ記憶部３１Ａ内に実際に格納された画像ファイルとの関連付け情報など、１フレーム目の作成に必要な情報を含んでいる。初期ファイル６Ａは、データ記憶容量低減の目的から例えばテキストファイルとすることが好ましく、この場合、案内画面１の作成に必要な指示内容はテキスト形式で記載される。
【００４１】
次に、画面作成指示ファイル生成部３２Ａは、部品動作定義データに基づき、１枚目のフレームに続く残りすべてのフレームの作成指示内容を個別に記載した複数の差分ファイル６Ｂを生成する（Ｓ７）。これらの差分ファイル６Ｂは、連続するフレームに対してその差分表示内容を作成指示するファイルであり、前述した画面作成指示ファイル６である。
【００４２】
ここで、差分ファイル６Ｂについて具体的に説明するために、案内コンテンツは例えばＴ秒間で構成され、この間に例えばＭ枚のフレームが生成され表示されるとする（ただし、Ｍは２以上の整数。）。なお、Ｍは案内コンテンツがスムーズに表示される程度以上の数に設定される。例えば１秒間に３０〜６０枚程度のフレーム数であれば、部品コンテンツの変化がアニメーション動画のように滑らかに表示される。また、部品動作定義データに記載されたパーツの動作例として、例えば前述のパーツＰ１の動作を例に説明する。すなわち、パーツＰ１は、Ｔ秒間で案内画面１上を左回りに９０°回転するものとする。そうすると、パーツＰ１は、連続するフレーム間で左回りに（９０／Ｍ）°回転することになる。画面作成指示ファイル生成部３２Ａは、この例のように部品動作定義データの記載に基づき各フレーム間での動作を差分情報として算出し、これを差分ファイル６Ｂに記載する。具体的には、画面作成指示ファイル生成部３２Ａは、初期ファイル６Ａを生成した後、１枚目のフレームに続く２枚目のフレームの作成指示内容としてパーツＰ１が左回りに（９０／Ｍ）°回転する旨などの差分情報を記載した１番目の差分ファイル６Ｂを生成する。この構成では、２枚目のフレームは、初期ファイル６Ａおよび１番目の差分ファイル６Ｂにより作成できる。同様に、画面作成指示ファイル生成部３２Ａは、２枚目のフレームに続く３枚目のフレームの作成指示内容を当該フレーム間の差分表示内容として記載した２番目の差分ファイル６Ｂを生成する。３枚目のフレームは、初期ファイル６Ａならびに１番目および２番目の差分ファイル６Ｂにより作成できる。その他の場合も同様である。なお、初期ファイル６Ａおよび差分ファイル６Ｂは、記憶部３１内に保存される。
【００４３】
このように本実施の形態では、案内コンテンツを構成する複数枚のフレームを作成するための画面作成指示ファイル６として、初期ファイル６Ａと差分ファイル６Ｂを生成する。しかしながら、差分ファイル６Ｂを生成する代わりに、すべてのフレームについて初期ファイル６Ａと同様のファイルを作成することもできる。例えば、２枚目のフレームに対応して上記１番目の差分ファイル６Ｂを生成する代わりに、初期ファイル６Ａと上記１番目の差分ファイル６Ｂの内容を合わせたファイルを最初から生成することもできる。なお、本実施の形態のように、差分ファイル６Ｂを生成することにより、フレーム間で重複する内容を記載する必要がないので、その分データ記憶容量を低減できるという効果がある。
【００４４】
次に、画像ファイル生成部３２Ｂによる案内コンテンツの表示処理について説明する。図９に示すように、画像ファイル生成部３２Ｂは、まず、表示が１フレーム目の表示か否かを判定する（Ｓ８）。表示を開始するときは、１枚目のフレームの表示、すなわち１フレーム目の表示となるため（Ｓ８，ｙｅｓ）、この場合、画像ファイル生成部３２Ｂは、初期ファイル６Ａに基づき、部品コンテンツ記憶部３１Ａから必要な部品コンテンツを選択して、１番目の画像ファイル８を生成する（Ｓ９）。画像ファイル８は、例えばＲＧＢファイルである。そして、画像ファイル生成部３２Ｂは、生成された１番目の画像ファイル８に基づく画像を１枚目のフレームとして表示部３３に出力する（Ｓ１１）。
【００４５】
一方、Ｓ８における判定の結果、１フレーム目以降（１枚目のフレーム以外）の表示である場合（Ｓ８，Ｎｏ）、画像ファイル生成部３２Ｂは、前回の表示で用いた画面作成指示データに表示対象のフレームを作成するための差分ファイル６Ｂの内容を反映させたデータ内容に基づいて、対応する画像ファイル８を生成する（Ｓ１０）。ここで、前回の表示で用いた画面作成指示データとは、直前に表示されたフレームの作成に用いられた初期ファイル６Ａ、または初期ファイル６Ａおよび差分ファイル６Ｂのデータである。例えば２枚目のフレームの表示をする場合は、前回の表示で用いた画面作成指示データは、初期ファイル６Ａのデータである。また、例えば３枚目のフレームの表示をする場合は、前回の表示で用いた画面作成指示データは、初期ファイル６Ａおよび１番目の差分ファイル６Ｂのデータである。つまり、１枚前のフレーム作成に用いられ既にメモリに展開されたデータに表示対象のフレームの差分ファイル６Ｂの内容を加えることで処理を簡素化するとともにデータ記憶容量の低減を図っている。
【００４６】
つづいて、画像ファイル生成部３２Ｂは、生成された画像ファイル８に基づく画像を表示対象のフレームとして表示部３３に出力する（Ｓ１１）。以下、同様の動作をすべてのフレームの表示が終了するまで繰り返す。このように、画像ファイル生成部３２Ｂは、生成されたフレーム数分の画面作成指示ファイル６に基づいてそれぞれ画像ファイル８を生成し、これらの画像ファイル８を表示部３３で展開して時系列的に表示することで案内コンテンツ（ロール）を表示する。
【００４７】
ここで、画像ファイル生成部３２Ｂは、画像ファイル８から実際の案内画面のサイズに合わせた画像を生成し、この画像を表示部３３に設けられたフレームバッファ（図示せず）に保存する。そして、表示部３３はフレームバッファ内の画像を読み出して画面表示する。
【００４８】
なお、フレームバッファは複数の案内コンテンツを格納可能な容量とすることが望ましい。この場合、画像ファイル生成部３２Ｂは、フレームバッファ内に、表示中の案内コンテンツに関する画像群に加えて、次に表示予定の案内コンテンツに関する画像群などを保存することができる。これにより、表示中の案内コンテンツの表示終了後、ただちに次に表示予定の案内コンテンツに関する画像群を順次読み出して表示することができるので、表示切替がスムーズになる。
【００４９】
また、画像ファイル生成部３２Ｂは、画像ファイル８から画像を生成し、この画像をフレームバッファに保存した後、画像生成の終えたこの画像ファイル８を消去することができる。こうすることで、データサイズの大きな画像ファイル８を画像生成後に保持する必要がなく、データ記憶容量を大幅に低減することができる。
【００５０】
また、図１０の走行中案内では、４種類のロールを、それぞれＴ秒間を単位に順番に表示している。例えば、「近傍路線案内（日本語）」につづいて「近傍路線案内（英語）」を表示する。そこで、画像ファイル生成部３２Ｂが、図９の処理を実施して「近傍路線案内（日本語）」を表示部３３にて表示させている間に、画面作成指示ファイル生成部３２Ａが、次に表示する「近傍路線案内（英語）」についての図８の処理を実施し、初期ファイル６Ａおよび差分ファイル６Ｂを生成させるようにすることができる。すなわち、表示中の案内コンテンツに関する画像ファイル生成部３２Ｂによる画像ファイル作成処理と、次に表示予定の案内コンテンツに関する画面作成指示ファイル生成部３２Ａによる画面作成指示ファイル６の生成処理（図８）とを、並列的に処理させることができる。これにより、４種類のロールに対するすべての画面作成指示ファイル６が生成されるのを待って、表示処理を始める必要がなく、ロール間をスムーズに移行させるのに好適な構成となる。
【００５１】
また、図１０において、例えば列車が走行状態にある場合に、表示中の案内コンテンツの次に表示予定の走行中案内コンテンツに関する画像ファイル生成部３２Ｂによる画像生成処理と、次駅接近状態において表示予定の次駅接近中案内コンテンツに関する画像ファイル生成部３２Ｂによる画像生成処理とを、並列的に処理することもできる。例えば、走行中案内コンテンツの「近傍路線案内（日本語）」の表示中に、「近傍路線案内（英語）」に関する画像生成処理と、次駅接近中案内コンテンツの「次駅設備案内」に関する画像生成処理とを並列して行うこともできる。これにより、列車状態変化が発生した場合に、画像ファイル生成部３２Ｂに割り込み指示を行うことで、スムーズに表示切替を実現することができる。なお、並列処理で作成された各案内コンテンツの画像群は、上述のようにフレームバッファ内に格納される。
【００５２】
なお、画像ファイル生成部３２Ｂは、初期ファイル６Ａおよび差分ファイル６Ｂに基づき、部品コンテンツ記憶部３１Ａに格納されているデータのデータ形式が例えばいわゆるベクターデータの場合、部品コンテンツを動作させた画像ファイルを容易に生成することができる。ただし、本実施の形態は、このデータ形式を利用した表示方法に限定されるわけではない。
【００５３】
図１１は、上述した案内コンテンツの表示方法を模式的に示す図、図１２は、図１１に表示された部品コンテンツの一例を示す図である。図１１では、案内画面１を構成するパーツの一つであるパーツＰの表示内容が例えば２秒目から３秒目までの間に変化し、表示される駅名が入れ替わる例を示している。
すなわち、「霞ヶ関」から「かすみがせき」に文字が入れ替わる。
また、図１２では、パーツＰに配置される部品コンテンツ１２０およびパーツＱに配置される部品コンテンツ１２１を示している。
部品コンテンツ１２０，１２１は、それぞれ「かすみがせき」および「霞ヶ関」が表記された静止画の画像である。
【００５４】
図１１に示すように、１枚目のフレームである「フレーム１」に対し、初期ファイル６Ａにはすべてのパーツに関する配置情報等が記載されており、この初期ファイル６Ａに基づいて画像ファイル８が作成された後、表示部３３にて対応する画像が出力される。また、開始０秒から例えば２秒目までは案内画面１の表示に変化はないので、差分ファイル６Ｂに動作の設定はされず、「フレーム１」と同じ画像ファイル８により同じ画像が出力される。なお、以下では、１秒間に例えばＮ枚のフレームが表示されるものとする。
【００５５】
つづいて、２秒経過後に表示される（２Ｎ＋１）枚目のフレームである「フレーム（２Ｎ＋１）」に対して、その作成に使用される差分ファイル６Ｂには「パーツＰの透過度が−α、パーツＱの透過度が＋α変化する」旨が記載される。そして、この差分ファイル６Ｂと初期ファイル６Ａとに基づいて画像ファイル８が作成された後、表示部３３に対応する画像が出力される。これ以降、「フレーム（３Ｎ＋１）」までの動作は図８および図９を用いて説明した通りである。なお、動画を構成するフレームの場合、Ｎは例えば３０〜６０程度であることが好ましく、この範囲であれば表示がスムーズとなるが、これ以上の枚数でもよい。
【００５６】
なお、図１１のパーツＰの表示内容と図１２の部品コンテンツ１２０との比較からわかるように、開始から２秒目までは、部品コンテンツ１２０が表示され、２秒目から３秒目までの間に部品コンテンツ１２０の透過度が下がり、部品コンテンツ１２１の透過度が上がることで、３秒目で文字の入れ替えが終了するように動作が規定されている。
その結果、「かすみがせき」が表示される。
その動作は、図５（ｄ）の部品コンテンツ１１０の動作を組み合わせたものである（ただし、平行移動は除く）。
【００５７】
以上説明したように、本実施の形態によれば、部品コンテンツを用いて案内コンテンツの案内画面１を構成するようにしたので、表示に必要なデータ記憶容量、すなわち、記憶部３１の容量を、大幅に低減することができる。
【００５８】
また、本実施の形態によれば、静止画を利用した場合に比べて、乗客に対する情報提供量および注目度を増やすことができ、乗客への視覚的な訴求効果が高くなり、より効果的に情報を提供することができる。
【００５９】
また、本実施の形態によれば、案内画面１を部品コンテンツにより構成するとともに、部品コンテンツの配置および動作を部品配置定義データおよび部品動作定義データにより定義するようにしたので、表示内容の追加、修正にも容易に対応することができる。
【００６０】
また、本実施の形態では、２枚目以降のフレームを作成するための画面作成指示ファイルとして差分ファイル６Ｂを生成するようにしたので、フレーム間で重複する表示内容を記載する必要がなくなり、その分データ記憶容量を低減できる。
【００６１】
また、画像ファイル生成部３２Ｂは、画像ファイル８から画像を生成し、この画像をフレームバッファに保存した後、画像生成の終えた画像ファイル８を消去することができる。こうすることで、データサイズの大きな画像ファイル８を画像生成後に保持する必要がなく、データ記憶容量を大幅に低減することができる。
【００６２】
また、表示中の案内コンテンツに関する画像ファイル生成部３２Ｂによる画像ファイル生成処理と、次に表示予定の案内コンテンツに関する画面作成指示ファイル生成部３２Ａによる画面作成指示ファイルの生成処理とを、並列的に行うことができる。これにより、表示中の案内コンテンツの表示終了後に次の案内コンテンツの画面作成指示ファイルの作成を始めることがなくなり、案内コンテンツ間で表示がされない期間が発生することがなくなる。
【００６３】
また、図１０において、表示中の案内コンテンツの次に表示予定の案内コンテンツに関する画像生成処理と、当該列車状態の次に予定される列車状態において表示予定の案内コンテンツに関する画像生成処理とを、並列的に行うこともできる。これにより、列車状態変化が発生した場合に、画像ファイル生成部３２Ｂに割り込み指示を行うことで、スムーズに表示切替を実現することができる。
【００６４】
また、図１０の例えば走行中案内においては、案内画面の下半分の表示領域の表示内容は案内コンテンツに応じて変化するが、上半分の表示領域の表示内容は案内コンテンツ間にわたって変化していない。例えば、案内コンテンツ「近傍路線案内（日本語）」と案内コンテンツ「近傍路線案内（英語）」とを比較すると、表示内容に変化があるのは、下半分の表示領域のみである。そこで、案内画面を複数の表示領域に分割し、表示領域単位で初期ファイル６Ａおよび差分ファイル６Ｂを作成することにすれば、図１０のようにＴ秒間を単位として案内コンテンツの繰り返し表示をする際に、表示内容に変化のない表示領域に関するこれらのファイルを互いに共用することができる。これにより、画面作成指示ファイル６の生成処理負荷を軽減することができる。
【００６５】
また、部品コンテンツの動作には、色の変化を加えることもできる。例えば、列車が次駅に近づくに応じて、例えば文字表示を黒→青→赤と徐々に変化させるなどして乗客の注目度を増やす表示をすることもできる。
【００６６】
なお、本実施の形態では、画面作成部３２、部品コンテンツ記憶部３１Ａ、部品配置定義データ記憶部３１Ｂ、および部品動作定義データ記憶部３１Ｃなど案内コンテンツ作成に必要な機能を、表示装置３０内に設ける構成とした。このような構成によれば、車両内に複数台の表示装置３０が設けられている場合に、表示装置３０ごとに異なる案内コンテンツを表示するのに適している。
【００６７】
一方、上記案内コンテンツ作成に必要な機能を、図１の例えば分岐装置２１内に設けることもできる。図１では、複数台の表示装置３０が１台の分岐装置２１に接続されている。このような構成によれば、車両内に複数台の表示装置３０が設けられている場合でも、分岐装置２１の個数分の画面作成部３２を設けることになるので、本実施の形態よりも安価な構成となる。ただし、このような構成は、その構成上、車両内のすべての表示装置３０で同じ案内コンテンツを表示するのに適している。
【００６８】
さらに別の構成として、上記案内コンテンツ作成に必要な機能を、例えば映像情報配信装置２０内に設けることもできる。このような構成では、画面作成部３２の設置個数がさらに減るのでより一層安価な構成となるが、その構成上、列車内のすべての表示装置３０で同じ案内コンテンツを表示するのに適している。また、この場合、映像情報配信装置２０は、部品コンテンツを配信するのではなく、作成された案内コンテンツを表示装置３０に配信する。
【００６９】
なお、本実施の形態により、静止画を表示することもできる。すなわち、部品動作定義データにてすべての部品コンテンツについて「動作なし」と定義すればよい。例えば図１１では、表示開始から２秒目までは実質静止画を表示した状態である。
【００７０】
また、本実施の形態の案内コンテンツにおいて、案内画面１の一部に撮影映像を埋め込み、この撮影映像をフレーム表示と同じタイミングで表示させ、さらに撮影映像表示部分を案内画面１内で移動等動作させることもできる。ただし、撮影映像はデータサイズを要するので、データサイズを制限して使用することが好ましい。また、このような撮影映像を使用する場合は、特許文献３のように、映像情報配信装置２０から表示装置３０へデータを伝送する経路を部品コンテンツ伝送する場合と撮像映像を伝送する場合で分ける構成とすることもできる。すなわち、特許文献３では、撮像映像は、列車情報装置１１を経由することなく、分岐装置２１を直接経由して表示装置３０へ伝送される。
【００７１】
実施の形態２．
実施の形態１では、列車情報装置１１から得られた列車情報に基づき、予め部品コンテンツ記憶部３１Ａに記憶された部品コンテンツ群から案内コンテンツの構成に必要な部品コンテンツを選択し、これらの部品コンテンツを組み立て、さらに動作を付与して案内コンテンツの表示を行うシステムおよび方法について説明した。
【００７２】
本実施の形態では、列車情報装置１１からは直接得られない情報であって、例えば列車外から提供された臨時情報を、案内コンテンツに組み込んで表示するシステムおよび方法について説明する。ここで、臨時情報は、例えば運行情報、事故情報、またはニュース速報などである。このような臨時情報は、例えば地上局５１から映像情報配信装置２０へ無線送受信装置５０を経由した無線通信により提供される。
【００７３】
図１３は、本実施の形態による案内コンテンツの表示例を示す図、図１４は、テキストで記載された臨時情報（例えば臨時的な運行情報）が文字描画として表された部品コンテンツの一例を示す図である。図１３では、案内画面１の「駅設備案内」の表示部分上に、臨時情報を表示するパーツ８０が上書きされる形で配置されている。また、このパーツ８０として図１４の部品コンテンツ１２５が選択されるとともに、この部品コンテンツ１２５は図１３に示す矢印の方向に文字が移動するようにその動作が定義されている。このように、パーツ８０では、臨時的な運行情報がいわゆるテロップ表示され、その表示内容が矢印の方向に移動しながら表示されている。
【００７４】
図１３のような表示を行うためには、画面作成指示ファイル生成部３２Ａは、臨時情報が得られた後、その内容を文字描画に加工した部品コンテンツ１２５を作成する。また、部品配置定義データには、臨時情報に対応して作成された部品コンテンツの初期配置位置を予め定義しておくとともに、部品動作定義データには、臨時情報に対応して作成された部品コンテンツの動作を予め定義しておく。図１３は、この初期配置位置および動作の一例を示すものである。画面作成指示ファイル生成部３２Ａは、部品配置定義データおよび部品動作定義データに基づき、作成された部品コンテンツ１２５他、案内画面１を構成する部品コンテンツに関し、実施の形態１で説明した初期ファイル６Ａおよび差分ファイル６Ｂを生成する。そして、画像ファイル生成部３２Ｂは、これらの初期ファイル６Ａおよび差分ファイル６Ｂに基づき、順次、各フレームに対する画像ファイルを生成しこれに対応する画像を表示部３３に出力する。
【００７５】
なお、臨時情報に限らず、列車情報とは異なるその他一般の情報を得た後に、その内容を文字描画に加工した部品コンテンツ１２５を作成し、これを用いた上記テロップ表示を行うこともできる。例えば、定型情報の内容を文字描画に加工した部品コンテンツ１２５を作成し、これを用いた上記テロップ表示を行うこともできる。ここで定型情報としては、例えばある駅間でのみ表示するコンテンツなどがある。
【００７６】
また、部品コンテンツ１２５は、文字描画のみに限定されず、例えば記号、図形、絵などの一般的な描画を含んでいてもよい。あるいは、部品コンテンツ１２５は、文字を含まずに、例えば記号、図形、もしくは絵またはこれらの組合せなどにより情報を表示するものであってもよい。すなわち、画面作成指示ファイル生成部３２Ａは、臨時情報等が得られた後、その内容を予め用意された文字、記号、図形、絵などのデータを用いて描画に加工した部品コンテンツ１２５を作成する。
【００７７】
ところで、図１３の表示例では、パーツ８０による臨時的な運行情報の表示は、表示中の案内コンテンツ上に上書きされる形で行われている。したがって、案内コンテンツの一部が見えなくなるという問題がある。そこで、臨時情報を表示する際に、表示中の案内コンテンツ全体を案内画面１内に縮小して表示させ、形成された余白部分にパーツ８０を配置し、このパーツ８０で上記と同様のテロップ表示を行うように動作を定義することも可能である。この場合、案内コンテンツ全体は縮小されるため多少見難くなるもののテロップ表示が案内コンテンツの一部を上書きすることはないので、案内コンテンツの一部の情報が表示されないということはなくなる。
【００７８】
このように、画面作成部３２は、部品配置定義データおよび部品動作定義データにしたがい、案内画面１上で表示中の案内コンテンツ（図示例では、例えば駅設備案内等）に対して当該案内コンテンツ全体を案内画面１内で縮小して表示しつつ、案内コンテンツ全体の縮小により案内画面１内に形成された余白部分にて案内コンテンツを構成する部品コンテンツとは異なる部品コンテンツ１２５を配置し、この部品コンテンツ１２５を余白部分内に組み込んで表示することができる。また、以下に述べるように、案内コンテンツの表示部分をＣＭ案内に置き換えることもできる。
【００７９】
図１５は、本実施の形態によるＣＭ案内の表示例を示す図である。図１５（ａ）では、案内画面１の略全表示領域にて例えばＣＭ画面８１Ａが表示され、このＣＭ画面８１ＡではＣＭ案内が表示されている。ここで、ＣＭ（広告）案内は、部品コンテンツを用いて作成された案内コンテンツではなく、例えば地上局５１から無線送受信装置５０を経て映像情報配信装置２０へ送信された後映像情報配信装置２０から表示装置３０に配信された広告コンテンツデータによるものであり、例えば動画または静止画である（実施の形態１参照）。
【００８０】
また、図１５（ｂ）では、画面作成部３２の制御のもと、ＣＭ案内の表示領域がＣＭ画面８１ＡからＣＭ画面８１Ｂに縮小されている。この際、ＣＭ画面８１Ｂは、ＣＭ画面８１Ａに対して、水平方向とこれに直交する方向の双方に例えば等倍率で縮小され、さらに、案内画面１内の下側の領域と左側の領域に余白が形成されるように縮小されている。なお、縮小方向は水平方向とこれに直交する方向の一方を縮小するようにしてもよい。また、縮小倍率は水平方向とこれに直交する方向で異なるようにしてもよい。また、余白の形成箇所は図示例以外の他の箇所に形成されるようにＣＭ画面８１Ａを縮小することもできる。また、ＣＭ画面８１Ａの縮小のみならず、これに移動を組み合わせることもできる。
【００８１】
画面作成部３２によるＣＭ画面８１ＡからＣＭ画面８１Ｂへの表示領域の縮小制御は、実施の形態１で説明した部品コンテンツの縮小によるものではなく、従来の表示装置で通常使用される表示領域の縮小または拡大制御によるものである。
【００８２】
図１５（ｂ）では、案内画面１内に形成された余白部分のうち例えば案内画面１内の下側の余白部分にパーツ８０Ａが組み込まれて表示されている。パーツ８０Ａは、部品コンテンツであり、例えば臨時情報を表示する部品コンテンツである。そして、パーツ８０Ａは、図１３の場合と同様に、図中の矢印の方向に移動するようにその動作が規定され、いわゆるテロップ表示がなされている。なお、パーツ８０Ａで臨時情報以外の例えば定型情報を表示することができる点など、その他の構成、動作は図１３の場合と同様である。なお、図１５（ａ）のＣＭ画面８１Ａ上に図１５（ｂ）のパーツ８０Ａを上書きする形でテロップ表示することもできる。
【００８３】
図１３、図１５では、テロップ表示に用いる部品コンテンツ（例えば部品コンテンツ１２５）の移動方向を水平方向としたが、これに限定されず、上下方向を含めて案内画面１内の任意の方向とすることができる。例えば、図１５（ｂ）では、案内画面１内に形成された余白部分のうち例えば案内画面１内の左側の余白部分に臨時情報を表示する部品コンテンツを配置し、この部品コンテンツを上下方向に移動させることによるテロップ表示も可能である。
【００８４】
なお、上記説明では、臨時情報は、例えば地上局５１から得られるとしたが、その他、例えば車上にて乗務員等により所定の入力手段を介して映像情報配信装置２０に入力されるものであってもよい。例えば、乗務員は、自列車に発生した故障、事故、または病人発生等の臨時情報を、車上モニタ装置の入力画面等を介することにより映像情報配信装置２０に入力することができ、画面作成部３２は入力された情報をもとにテロップ表示に用いる部品コンテンツを加工することができる。このように車上にて入力された臨時情報を上記と同様に案内コンテンツ上にテロップ表示することで、地上局５１からの情報よりもさらにリアルタイム性の高い情報を提供することができる。
【００８５】
本実施の形態によれば、例えば列車外から提供されまたは車上にて入力された臨時情報または定型情報を部品コンテンツに加工し、これを案内コンテンツの表示中に案内画面１に組み込んで表示させるようにしたので、乗客に対してリアルタイムで臨時情報等を提供することができる。
【００８６】
また、本実施の形態によれば、例えば列車外から提供されまたは車上にて入力された臨時情報または定型情報を部品コンテンツに加工し、これを広告コンテンツの表示中に案内画面１に組み込んで表示させるようにしたので、乗客に対してリアルタイムで臨時情報等を提供することができる。
【００８７】
また、本実施の形態によれば、案内コンテンツまたは広告コンテンツの表示中に案内コンテンツまたは広告コンテンツの表示領域を縮小し、形成された余白部分にて臨時情報等を表示するようにしたので、臨時情報等の視認性が高まる。なお、本実施の形態のその他の構成、動作、および効果は実施の形態１と同様である。
【００８８】
実施の形態３．
本実施の形態では、部品コンテンツの動作の具体例として、縮小／拡大動作の組み合わせにより案内画面上でパーツが回転しているように表示される動作について説明する。なお、本実施の形態の構成等は実施の形態１，２と同様であり、動作は部品動作定義データに定義される。
【００８９】
図１６は、本実施の形態における部品コンテンツの動作例を示す図、図１７は、部品コンテンツの一例を示す図、図１８は、パーツＲおよびパーツＳの縮小方向を示す模式図である。
【００９０】
図１６に示すように、案内画面上の例えば矩形領域では、パーツＲが縮小しかつパーツＳが拡大することにより、パーツＲ，Ｓが回転するように表示されている。
具体的には、パーツＲの「かすみがせき」からパーツＳの「Ｋａｓｕｍｉｇａｓｅｋｉ」へと表示切替が行われている。
なお、同図中の最上段は動作開始状態を示し、最下段は動作終了状態を示す。また、パーツＲは、図１７の部品コンテンツ１２６に基づいて表示され、パーツＳは、図１７の部品コンテンツ１２７に基づいて表示されている。
【００９１】
まず、パーツＲの動作について説明する。なお、同図中、上下方向を第１方向と呼び、第１方向に直交する方向を第２方向と呼ぶ。パーツＲは、第１方向におけるその一端である端部Ｅ１を第１方向に動かないように固定した状態で、第１方向に例えば一定の縮小速度（第１の縮小速度という。）で縮小される。すなわち、パーツＲは、動作開始から動作終了まで第１方向に関して縮小し、動作終了状態では第１方向の幅が０になるように動作が規定されている。したがって、端部Ｅ１に対向するパーツＲの他端である端部Ｅ２は、上記第１の縮小速度で下方に移動し、これにより端部Ｅ２の上側にパーツＳが表示される領域が形成されるとともに、この形成領域が次第に増大する。
【００９２】
また、パーツＲは、第１方向に縮小するとともに第２方向にも縮小するが、第２方向におけるその縮小速度は、端部Ｅ２から端部Ｅ１に向かうにつれて０から所定の縮小速度（第２の縮小速度という。）まで一定の割合で増加している。したがって、端部Ｅ２の長さは固定されたままであるが、端部Ｅ１の長さは時間経過とともに短くなるので、時間的に変化する遠近感を持たせて表示させる効果があり、パーツＲが第２方向を回転軸として下方に回転しているように見える。なお、図１８の上段では、パーツＲの縮小方向を矢印で模式的に示している。ここで、縮小速度が下方に向かうにつれて増大していることを示すために、水平方向の矢印の大きさが下方に向かうにつれて大きくなるように記載されている。
【００９３】
次に、パーツＳの動作について説明する。パーツＳの動作は、説明上の簡便性から、動作終了時から動作開始時まで時間反転してみたときの動作の逆動作として規定することにする。すなわち、図１６の最下段の動作終了状態から最上段の動作開始状態に移行する場合、パーツＳは、第１方向におけるその一端である端部Ｆ１を第１方向に動かないように固定した状態で、第１方向に上記第１の縮小速度で縮小される。すなわち、パーツＳは、第１方向に関して縮小し、動作開始状態では第１方向の幅が０であるように動作が規定されている。また、パーツＳは、第１方向に縮小するとともに第２方向にも縮小するが、第２方向におけるその縮小速度は、端部Ｆ２から端部Ｆ１に向かうにつれて０から上記第２の縮小速度まで一定の割合で増加している。これにより、パーツＳについてもパーツＲと同様に時間的に変化する遠近感を持たせて表示することができる。なお、図１８の下段では、時間を反転してみた場合におけるパーツＳの縮小方向を矢印で模式的に示している。ただし、パーツＳの動作を時間正方向でみれば、実際には拡大動作に相当する。また、図１６に示すように、パーツＳの端部Ｆ２とパーツＲの端部Ｅ２は、対向して配置される。
【００９４】
本実施の形態によれば、上記のようにパーツＲの縮小動作の組み合わせとパーツＳの拡大動作の組み合わせとを組み合わせることにより、パーツＲ，Ｓが回転しているように表示させることができる。
【００９５】
また、本実施の形態は、二つのパーツの場合のみならず、三つ以上のパーツの場合についても同様に適用することができる。なお、パーツＲまたはパーツＳの単独表示も当然可能であり、この場合、文字表示が回転するようにして消えまたは現れることとなる。
【００９６】
また、本実施の形態では、回転方向が図中下方である場合について説明したが、案内画面上の任意の方向である場合についても同様である。
【００９７】
実施の形態４．
本実施の形態では、映像情報配信表示システムによる案内コンテンツの具体的な表示例について説明する。本実施の形態に係る映像情報配信表示システムの構成等は実施の形態１〜３と同様である。
【００９８】
図１９は、本実施の形態による路線案内の表示例を示す図である。具体的には、図１９は、特定の路線を表す「○○線」を走行する列車の車両内の表示装置３０にて表示される路線案内の一例を示したものである。なお、案内画面１の表示内容は矢印のように表示例（ａ）→（ｂ）→（ｃ）の順で画面左方向にスクロールする。なお、本図では、表示例（ａ）、（ｂ）、（ｃ）の表示例画面を時系列で示しているが、実際の表示は、アニメーション動画のように、画面右から左方向に滑らかにスクロールさせる。以下、表示内容について詳細に説明する。
【００９９】
まず、案内画面１の上段の表示内容について説明する。図１９に示すように、案内画面１の上段では、次停車駅を表す表示が、「ＪＨＡ２」→「ＥＡ２」→「ＪＫＡ２」の順に、変化する。ここで、「ＪＨＡ２」は次停車駅の駅名のひらがな表記（例：かすみがせき）、「ＥＡ２」はローマ字表記（例：Ｋａｓｕｍｉｇａｓｅｋｉ）、「ＪＫＡ２」は漢字表記（例：霞ヶ関）である。「ＪＨＡ２」から「ＥＡ２」への切替は、「ＪＨＡ２」を表す部品コンテンツと「ＥＡ２」を表す部品コンテンツとが例えば実施の形態３（図１６等）で説明した動作にしたがって連続的に変化することにより実現される。「ＥＡ２」から「ＪＫＡ２」への表示切替についても同様である。また、「ＪＨＡ２」が表示されている案内画面１における「○○線」、「△△」、「ゆき」、「号車」、「つぎは」はそれぞれ部品コンテンツであり、これらの部品コンテンツは、「ＪＨＡ２」から「ＥＡ２」への切替に伴って、例えば上記の次停車駅の切替と同様にしてそれぞれ「○○ Line」、「△△」、「for」、「Car No.」、「Next」等の英語表記に切替えられる。その他、「Ｇ」、「Ｇ０２」、号車番号を表す「３」等も部品コンテンツである。
【０１００】
次に、案内画面１の下段の表示内容について説明する。図１９に示すように、案内画面１の下段では、始発駅から終着駅まで到着順に配列された複数の駅名をスクロール表示させている。具体的には、「ＪＨＡ２」が表示されている案内画面１（表示例（ａ））では、始発駅の「ＪＫＡ１」から「ＪＫＡ１２」までの各駅名が案内画面１上で左から右へ順に配列表示された状態であるが、その後、表示例（ｂ）に例示するように、始発駅の「ＪＫＡ１」の表示は固定した状態で「ＪＫＡ２」以降の駅名が右から左へスクロールし、案内画面１の右端から「ＪＫＡ１２」以降の駅名が順次出現するとともに、左方に移動した結果「ＪＫＡ１」の表示領域の境界に達した駅名は順次消失するよう表示制御する。そして、上段に「ＪＫＡ２」が表示されている案内画面１（表示例（ｃ））のように、終着駅の「ＪＫＡ１９」が案内画面１の右端に位置した状態でスクロール表示を停止する。なお、「ＪＫＡ２」から「ＪＫＡ１９」までの各駅名の下にはそれぞれ「Ｇ０２」〜「Ｇ１９」の各駅を表す絵文字と始発駅からの予想到着時間が表示され、これらの表示も駅名とともにスクロールする。また、「ＪＫＡ１」の下には「Ｇ０１」が表示され、さらに予想到着時刻の配列に合わせて「分」の文字も表示されているが、「ＪＫＡ１」、「Ｇ０１」および「分」は固定表示され、スクロールされない。
【０１０１】
次に、上記スクロール表示を表示装置３０内の処理と関連付けて説明する。図１９は、路線案内のスクロール表示を説明するための図であり、（ａ）は初期画面、（ｂ）はスクロール中の画面、（ｃ）はスクロール停止後の画面を表している。スクロール方向はＳＣで表している。固定部４０は例えば路線案内を表示する領域であり、頂点Ｐ１，Ｐ３，Ｐ６，Ｐ４により規定される例えば矩形領域である。始発駅表示領域４１は、固定部４０内の例えば矩形領域であり、頂点Ｐ１，Ｐ２，Ｐ５，Ｐ４により規定される。スクロール表示領域４２は、固定部４０内の例えば矩形領域であり、頂点Ｐ２，Ｐ３，Ｐ６，Ｐ５により規定され、スクロール表示がなされる領域である。部品コンテンツＫ１〜Ｋ１９はそれぞれ駅名を表示するパーツである。なお、「Ｇ０１」〜「Ｇ１９」、「分」、予想到着時間の表示についても部品コンテンツとして同様に説明することができるので、これらについての説明は省略する。また、案内画面１の上段部分については、例えば実施の形態１〜３で説明した処理と同様の処理により表示することができるので詳細は省略する。
【０１０２】
まず、画像作成指示ファイル生成部３２Ａは、列車情報装置１０，１１から列車情報を受信する。列車情報には、路線が「○○線」であること、当該路線上の始発駅から終着駅までの各駅名（停車駅情報）、および始発駅から各駅までの予定到着時間などの情報が含まれている。画像作成指示ファイル生成部３２Ａは、受信した列車情報に基づき、路線案内に使用される部品コンテンツを部品コンテンツ記憶部３１Ａから選択する。具体的には、画像作成指示ファイル生成部３２Ａは、列車情報に基づき、始発駅の「ＪＫＡ１」から終着駅の「ＪＫＡ１９」までの「○○線」の各駅の駅名を表示する部品コンテンツＫ１〜Ｋ１９を部品コンテンツ記憶部３１Ａから選択する。なお、列車情報に含まれる予定到着時間を用いることにより、図１９に示すように始発駅からの予想到着時間を各駅名の下に表示することができる。
【０１０３】
次に、画像作成指示ファイル生成部３２Ａは、部品配置定義データ記憶部３１Ｂに記憶された部品配置定義データを参照する。この部品配置定義データは、案内画面１の構成に使用される部品コンテンツを定義するとともに、各部品コンテンツの案内画面１上における初期配置情報を与える。画面作成指示ファイル生成部３２Ａは、部品配置定義データを参照することにより、部品コンテンツＫ１〜Ｋ１９の案内画面１上における初期配置情報を取得することができる。
【０１０４】
部品コンテンツＫ１〜Ｋ１９の初期配置は例えば次のようなものである。まず、案内画面１を含む仮想平面上に二次元座標系（例えばＸＹ座標系）を設定し、案内画面１上の位置をＸＹ座標値で示す。例えば、固定部４０は頂点Ｐ１，Ｐ３，Ｐ６，Ｐ４の各座標値で規定される固定領域である。同様に、始発駅表示領域４１は頂点Ｐ１，Ｐ２，Ｐ５，Ｐ４の各座標値で規定され、スクロール表示領域４２は頂点Ｐ２，Ｐ３，Ｐ６，Ｐ５の各座標値で規定される。部品コンテンツＫ１は案内画面１上で例えば矩形の表示領域を形成するので、その矩形の表示領域の一頂点の座標値（例えば図２１の点Ｐ７の座標値）と、その矩形の表示領域の二辺の長さ（例えば図２１のＬ１，Ｌ２の長さ）と、その矩形の表示領域の一辺の水平方向に対する傾斜角度（例えば図２１の角度θ）を与えることにより、案内画面１上における初期配置位置が与えられる。そして、部品コンテンツＫ１の初期配置位置は始発駅表示領域４１内である。部品コンテンツＫ２〜Ｋ１９の初期配置位置についても部品コンテンツＫ１と同様にして与えられる。具体的には、部品コンテンツＫ２〜Ｋ１９は左から右に順に例えば等間隔で配列される。ただし、図２０（ａ）に示すように、部品コンテンツＫ２〜Ｋ１２は案内画面１内（具体的にはスクロール表示領域４２内）に初期配置されるが、部品コンテンツＫ１３〜Ｋ１９は案内画面１外に初期配置される。より正確には、部品コンテンツＫ１２の大部分はスクロール表示領域４２内に初期配置されるが、僅かにその一部は案内画面１外に初期配置され、部品コンテンツＫ１３の大部分は案内画面１外に初期配置されるが、僅かにその一部はスクロール表示領域４２内に初期配置される。なお、部品コンテンツの配置を案内画面１の外部も含めて仮想平面上で定義するのは、部品コンテンツの動作を表すのに簡便だからであり、部品コンテンツの全部または一部が案内画面１外に配置されるとした場合に、その部分が実際には表示されないのはいうまでもない。すなわち、実際に案内画面１に表示される部分は部品コンテンツの案内画面１上の部分のみである。
【０１０５】
さらに、画面作成指示ファイル生成部３２Ａは、部品動作定義データ記憶部３１Ｃに記憶された部品動作定義データを参照する。この部品動作定義データは、部品コンテンツＫ１〜Ｋ１９の案内画面１上における動作を規定する。画面作成指示ファイル生成部３２Ａは、部品動作定義データを参照することにより、部品コンテンツＫ１〜Ｋ１９の案内画面１上における動作情報を取得することができる。
【０１０６】
部品動作定義データにより規定される部品コンテンツＫ１〜Ｋ１９の動作は例えば次のようなものである。スクロール開始時刻（図２０（ａ）の表示状態）を時刻０秒、図２０（ｂ）の表示状態を時刻Ｔ２秒、スクロール終了時刻を時刻Ｔ３秒（図２０（ｃ）の表示状態）とすると、部品コンテンツＫ１は、時刻０〜Ｔ３を通して初期配置位置に固定表示され、したがって動作することがない。これに対して、部品コンテンツＫ２〜Ｋ１９は、時刻０〜Ｔ３において、スクロール方向ＳＣに沿って直線的に移動するとともに、スクロール表示領域４２外ではたとえ案内画面１内であっても表示しないように規定されている（例えば、透過度を１００％にするなどと記載すればよい）。部品動作定義データには部品コンテンツＫ２〜Ｋ１９についての上記のような動作が記載されている。さらに、個別に説明すれば、例えば、部品コンテンツＫ２（「ＪＫＡ２」）については、時刻０では、スクロール表示領域４２内の左端に初期配置され（図２０（ａ））、時刻Ｔ２では、仮想的に始発駅表示領域４１に達し（図示せず）、時刻Ｔ３では、仮想的に案内画面１外に達する（図２０（ｃ））ようその動作が規定されている。また、例えば、部品コンテンツＫ１１（「ＪＫＡ１１」）については、時刻０では、スクロール表示領域４２内の右端に初期配置され（図２０（ａ））、時刻Ｔ２では、スクロール表示領域４２内の中ほどに達し（図２０（ｂ））、時刻Ｔ３では、スクロール表示領域４２内の左端に達する（図２０（ｃ））ようにその動作が規定されている。さらにまた、例えば、部品コンテンツＫ１９（「ＪＫＡ１９」）については、時刻０では、案内画面１外に仮想的に初期配置され（図２０（ａ））、時刻Ｔ２でも案内画面１外に仮想的に初期配置され、時刻Ｔ３では、スクロール表示領域４２内の右端に達する（図２０（ｃ））ようその動作が規定されている。
【０１０７】
次に、画面作成指示ファイル生成部３２Ａは、部品コンテンツＫ１〜Ｋ１９の初期配置情報および動作情報に基づき、１枚目のフレームを作成するための作成指示内容を記載した初期ファイル６Ａを作成する。さらに、画面作成指示ファイル生成部３２Ａは、動作情報に基づき、１枚目のフレームに続く残りすべてのフレームの作成指示内容を個別に記載した複数の例えば差分ファイル６Ｂを生成する。なお、乗客が見た場合には、まるでアニメーション動画を見ているかのように、図２０のスクロール表示を滑らかに表示するために、例えば１秒間にＮ＝３０〜６０枚程度のフレーム数で表示するものとし、したがって、画面作成指示ファイル生成部３２Ａは、Ｔ３秒間に表示されるフレーム総数に対応するＴ３×Ｎ個の画面作成指示ファイルを順次生成する。
【０１０８】
次に、画像ファイル生成部３２Ｂは、初期ファイル６Ａに基づいて画像ファイルを作成し、この画像ファイルにより１枚目のフレームを表示部３３にて表示する（図９（ａ））。さらに、画像ファイル生成部３２Ｂは、初期ファイル６Ａおよび差分ファイル６Ｂに基づいて順次画像ファイルを作成し、各画像ファイルにより２枚目以降のフレームを順次表示部３３にて表示する（図９（ｂ），（ｃ））。画像ファイル生成部３２Ｂは、路線案内の表示後には、画像ファイルを消去することができる。これらの処理の詳細は実施の形態１で説明したとおりである。その結果、スクロール表示領域４２内では、直線的に配列された駅名がスクロール方向ＳＣに僅かずつ移動して滑らかにスクロール表示されるとともに、スクロール表示領域４２外では部品コンテンツＫ２〜Ｋ１９のいずれも表示されないように表示制御される。「Ｇ０２」〜「Ｇ１９」、予想到着時間の表示についても同様である。
【０１０９】
なお、図２２では、部品コンテンツＫ４のスクロール表示領域４２外に位置する部分をＨ１で示し（斜線部分）、部品コンテンツＫ１５のスクロール表示領域４２外に位置する部分をＨ２で示し（斜線部分）、部品コンテンツＫ４のうちのＨ１の部分と、部品コンテンツＫ１５のうちのＨ２の部分とが実際には表示されないことを示している。画像ファイル生成部３２Ｂは、図２２のようなフレームを作成する際に、Ｈ１，Ｈ２に対応する箇所を部品コンテンツＫ２，Ｋ１５からそれぞれトリミングする画像トリミング部を有し、この画像トリミング部によりＨ１，Ｈ２に対応する箇所を除外したパーツを案内画面１に配置することで画像ファイルを作成する。つまり、部品コンテンツＫ２〜Ｋ１９に対して、スクロール表示領域４２外の部分は画像化されず、スクロール表示領域４２内の部分のみ画像化される。
【０１１０】
以上のように、上記路線案内によれば、路線上の全駅名を一画面内に同時に表示するのではなく（ただし、全駅名を一画面内に表示することもできる）、駅名の配列をスクロールさせながら路線上の全駅名を（アニメーション）動画のようにスムーズに表示するようにしているので、一度に表示する駅名の個数を調整することにより、文字サイズを大きく設定することができるとともにスクロールにより全駅名を表示することができ、視認性をより向上させることができる。なお、図２３は、従来の路線案内の一例を示す図である。図２３では、路線上の全駅名を一画面内に静止画として表示している。なお、「○○」は行き先を、「ＪＫＢ１」〜「ＪＫＢ４７」は路線の駅名を表し、駅名は一部表記を省略した。
【０１１１】
なお、上記路線案内では、各駅名（「ＪＫＡ１」、「ＪＫＡ２」など）は水平方向から所定の角度傾斜して表記されているが、これにより、見易さを確保しつつ配列方向にできるだけ多くの駅名を同時に表示することができる。
【０１１２】
また、上記路線案内では、始発駅の「ＪＫＡ１」の表示は固定した状態で「ＪＫＡ２」以降の駅名をスクロールさせたが、「ＪＫＡ１」も含めて全停車駅をスクロールさせることもできる。さらにまた、全駅名のうちの任意の一部の駅名をスクロールさせることもできる。また、スクロール方向ＳＣを例えば水平方向としたが、その他の方向、例えば上下方向とすることもできる。
【０１１３】
また、上記路線案内では、路線上の駅名をそれぞれ表示する部品コンテンツＫ２〜Ｋ１９を各別に配置し移動させている。ここで、部品コンテンツＫ２〜Ｋ１９は複数の駅名を到着順に配列した駅名配列を表示するものであるが、これらを単一の部品コンテンツとし、この単一の部品コンテンツを移動させることで同様の表示を行うこともできる。
【０１１４】
図２４は、本実施の形態による駅のホームの設備案内の表示例を示す図である。設備案内は、例えば次停車駅のホームの設備案内である。なお、案内画面１の表示内容は矢印のように画面左方向にスクロールする。以下、案内画面１の上段の表示内容については例えば図１９と同様であるので、案内画面１の下段の固定部４０の表示内容について説明する。なお、「○○」は行き先を、「△△」は次停車駅名を表す。
【０１１５】
図２４に示すように、固定部４０では、部品コンテンツＫ３０をスクロール方向ＳＣである例えば水平方向に移動させることにより駅のホームの設備案内を行っている。ここで部品コンテンツＫ３０は、少なくともホームとこのホームの設備（例えば、ホームに連絡する階段、エスカレータ、エレベータ、売店、自動販売機、トイレ等）の断面構成の表示を含むパーツであり、さらに、表示装置３０が搭載された車両のホーム停車位置（逆三角形で表示）、乗り換え案内、および出口案内等の表示を含むことができる。この例では、固定部４０はスクロール表示領域でもある。また、部品コンテンツＫ３０は、スクロールをすることによりその全体が表示される大きさとしている。すなわち、部品コンテンツＫ３０のスクロール方向ＳＣの表示範囲は固定部３０のスクロール方法ＳＣの幅よりも大きく設定されており、設備案内の表示を大きくして視認性を確保するようにしたものである。そして、ホームとホームの設備の全体のうちのホームの一端側の一部のみが配置表示された状態からホームとホームの設備の全体のうちのホームの他端側の一部のみが配置表示された状態までスクロールしている。なお、図２５は、従来のホームの設備案内の一例を示す図である。図２５では、ホーム全体を一画面内に静止画として表示し、ホームと階段等の位置関係を、ピクトグラムを用いて表示している。
【０１１６】
以上のように、上記設備案内では、ホームおよびホームの設備の断面構成を表す部品コンテンツＫ３０の全体を一画面内に同時に表示するのではなく、部品コンテンツＫ３０をスクロール表示領域にてその一端部から他端部まで一方向にスクロールさせながらその全体を表示するようにしたので、視認性を低下させることなくホームおよびホームの設備の全体構成を表示することができる。なお、上記設備案内のスクロール表示する際の表示装置３０内の処理については、上記路線案内の場合と同様に説明することができるので詳細は省略する。例えば、画面作成部３２は、列車情報としての停車駅情報に基づき次停車駅を特定して部品コンテンツＫ３０を部品コンテンツ記憶部３１Ａから選択することができる。
【０１１７】
なお、上記路線案内、ホームの設備案内の他にも、固定部４０のスクロール表示領域にて種々の案内を表示することができる。例えば、駅の全体の設備案内をスクロール表示することができる。例えば、空港駅の場合、ホームからチェックインカウンターまでの駅の全体の設備を滑らかにスクロール表示をすることができる。これに対し、例えば図２６〜図３０に示すように、従来は静止画の画面を切替えることで駅全体の案内を実施していた。すなわち、従来は、図２６〜図３０の各静止画を順に表示していた。
【０１１８】
以上説明したように、本実施の形態によれば、スクロール表示をすることにより、文字サイズやピクトサイズを小さくすることなく多くの情報を表示できる。また、本実施の形態によれば、部品コンテンツを用いて案内画面を構成しているので、データ量を増やすことなく、多くの情報を表示できる。なお、スクロール表示の対象となる部品コンテンツを上記の例に限定されない。
【０１１９】
実施の形態５．
本実施の形態では、映像情報配信表示システムによる案内コンテンツの具体的な表示例について説明する。本実施の形態に係る映像情報配信表示システムの構成等は実施の形態１〜３と同様である。
【０１２０】
図３１は、本実施の形態による動揺案内の動作を説明するための図である。（ａ）は、列車６０が地点Ｑ２を通過中の図、（ｂ）は、地点Ｑ２を通過した後、列車６０が地点Ｑ３を通過中の図である。動揺案内とは、列車６０が走行中に揺れる地点を通過することを乗客に対して注意喚起するための案内であり、揺れる地点は例えばポイントや急カーブなどである。図３１では、列車６０、線路Ｒ１，Ｒ２，揺れる地点Ｑ１等の関係を模式的に示している。具体的には、線路Ｒ１とこの線路Ｒ１から分岐した線路Ｒ２とが表示され、その分岐点であるＱ１が「揺れる地点」を示しており、そのことを示す「揺れる地点」の表記とともに「揺れる地点」を指し示す矢印が表示されている。同図では、線路Ｒ１上を走行する列車６０が揺れる地点Ｑ１に向かって走行する様子を示している。
【０１２１】
表示装置３０は、列車６０の走行位置と「揺れる地点」との距離が所定距離以下になったときに動揺案内を開始することができる。画面作成部３２による距離判定は例えば次のようにする。まず、列車情報装置１０，１１は、列車走行位置情報として例えば列車６０の始発駅からのキロ程情報を有している。また、「揺れる地点」は路線情報から予め判っているので、「揺れる地点」のキロ程情報を列車情報装置１０，１１に予め付与しておく。こうすることで、表示装置３０は、列車情報装置１０，１１から列車６０のキロ程情報および「揺れる地点」のキロ程情報を取得し、列車６０の走行位置から「揺れる地点」までの距離を差分として算出し、算出された「揺れる地点」までの距離を上記所定距離と比較することにより、動揺案内開始のタイミングを決定することができる。
【０１２２】
また、動揺案内は、列車６０が「揺れる地点」に接近したときにそれまで表示していた案内に割り込む形で表示される（割り込み案内）。割り込みのタイミングは、上述したように、列車６０の走行位置と「揺れる地点」との距離が所定距離以下になったときである。また、表示装置３０は、キロ程に応じて、動揺案内の表示領域を拡大もしくは縮小し、または案内画面１内におけるその位置を移動等することができる。すなわち、画面作成部３２は、スクロール表示、拡大、縮小、または移動のタイミングを列車６０のキロ程に応じて制御することも可能である。なお、画面作成部３２による処理の詳細は、実施の形態１〜３で説明した処理、実施の形態４で説明したスクロール表示における処理等と同様である。すなわち、画面作成部３２は、動揺案内コンテンツの構成に用いられる部品コンテンツを部品コンテンツ記憶部３１Ａから選択し、部品配置定義データにしたがって、選択された部品コンテンツを案内画面１上に配置し、部品動作定義データにしたがって、配置された部品コンテンツを案内画面１上で僅かずつ動作させることにより時系列的に連続した複数枚のフレームを作成し、これらのフレームを表示部３３にて表示する。ここで、動揺案内コンテンツの構成に用いられる部品コンテンツは、例えば「揺れる地点」を通過する旨を表示する部品コンテンツなどである。
【０１２３】
図３２は、動揺案内をキロ程に応じて拡大または縮小等の制御を行う例を示した図である。図３２では、図３１の地点Ｑ２での案内画面１の表示形式、地点Ｑ３での案内画面１の表示形式、および地点Ｑ１での案内画面１の表示形式を順に示している。地点Ｑ２は、表示装置３０が動揺案内を開始する地点であり、動揺案内が例えば表示領域Ａ１にて開始されるとともに、それまで表示されていた案内は例えば表示領域Ａ２、Ａ３のように縮小して表示される。なお、表示領域Ａ２，Ａ３での表示内容は任意であるが、例えば実施の形態４で説明したスクロール表示などを行うことができる。地点Ｑ３は、地点Ｑ２と「揺れる地点」である地点Ｑ１との間の地点である。地点Ｑ３では、動揺案内が表示領域Ａ１にて表示されているが、この場合の表示領域Ａ１は地点Ｑ２における場合と比較すると縮小されかつ表示位置も案内画面１の例えば上段から左下に移動している。さらに、地点Ｑ１に達する直前からは、地点Ｑ１における表示のように、再び表示領域Ａ１を拡大し、その表示位置も案内画面１の左下から上段に移動させている。地点Ｑ２における表示形式から地点Ｑ３における表示形式への変化は、実施の形態１で説明したような拡大、縮小、移動などの動作を部品動作定義データに定義することにより、連続的な変化を伴う映像として表示することができる。地点Ｑ３における表示形式から地点Ｑ１における表示形式への変化についても同様である。
【０１２４】
なお、表示領域Ａ１では、列車６０が「揺れる地点」を通過する直前に、例えば「まもなく揺れる地点を通過します」というような表示を行うなどして乗客の注意を喚起することができる。また、例えば「揺れる地点まで○○ｍ」または「揺れる地点まで○分△秒」というように列車６０の走行位置および走行速度から「揺れる地点」までの距離または時間を表示することもできる。前者では、表示装置３０は、列車６０のキロ程に基づいて表示のタイミングを決めることができる。後者では、表示装置３０は、列車６０のキロ程と「揺れる地点」のキロ程との差または、この差と現在の走行速度とから算出した時間を表示すればよい。
【０１２５】
図３２のように表示制御することにより、まず、最初に動揺案内を開始した時に乗客の注意を喚起し、その後は「揺れる地点」に達するまでにいましばらく時間があるので一旦表示領域Ａ１を小さくするなどし、さらに「揺れる地点」の直前で再び表示領域Ａ１を拡大表示するなどして、キロ程に応じて内容を強調表示することで、より効果的な案内を行うことができる。
【０１２６】
実施の形態６．
本実施の形態では、映像情報配信表示システムによる案内コンテンツの具体的な表示例について説明する。本実施の形態に係る映像情報配信表示システムの構成等は実施の形態１〜３と同様である。
【０１２７】
急停車案内は、列車が急ブレーキを作動させた後に表示を開始する案内であるが、乗客は急ブレーキの発生とともに停車時に発生する「振り戻し」にも注意する必要がある。そこで、急ブレーキを作動後に、案内画面１にて「振り戻し」の発生に注意すべき旨を表示することにより乗客に対して注意喚起することが望ましい。
【０１２８】
図３３は、本実施の形態による急停車案内について説明するための図であり、（ａ）では、横軸に路線上の地点（またはキロ程）を、縦軸に列車の速度をとり、列車が急ブレーキを作動させた後「止まる地点」までの速度変化を示している。なお、列車が「止まる地点」にて停車すると、進行方向後方に「振り戻し」が発生することがある。
【０１２９】
画面作成部３２は、列車情報装置１０，１１から急ブレーキ作動情報を取得すると、振り戻しに注意すべき旨を表示する部品コンテンツ（図示せず）を部品コンテンツ記憶部３１Ａから選択し、この部品コンテンツを部品配置定義データにしたがって案内画面１上に初期配置した後、部品動作定義データにしたがって動作させることにより、「振り戻し」に注意すべき旨の表示案内を行うことができる。また、画面作成部３２は、列車情報装置１０，１１から列車の速度情報を取得し、急ブレーキ作動後、列車の速度が所定速度以下に達したか否かを監視し、その速度が所定速度以下に達したと判定した場合には、速度がゼロに近づいているので「振り戻し」が発生する可能性があると判断して、「振り戻し」の発生に注意すべき旨を表示する前記部品コンテンツ（図示せず）を用いた上記案内を開始することができる。なお、列車情報装置１０，１１は、急ブレーキ作動情報および列車の速度情報を列車情報として管理する。
【０１３０】
画面作成部３２は、急ブレーキ作動後、列車の速度に応じて、案内画面１における表示内容を変化させることができる。この際、画面作成部３２は、列車情報装置１０，１１から列車の速度情報を取得し、表示制御を行う。例えば図３３（ｂ）では、左側に急ブレーキ作動地点における案内画面１の表示形式を示し、右側に「止まる地点」での案内画面１の表示形式を示している。具体的には、急ブレーキ作動地点では、表示領域Ａ１は表示領域Ａ２，Ａ３よりも大きな領域として設定されるとともに、表示領域Ａ１は案内画面１の上段に、表示領域Ａ２，Ａ３はそれぞれ案内画面１の下段に配置されている。表示領域Ａ１，Ａ２，Ａ３ではそれぞれ部品コンテンツを用いた互いに異なる表示がなされているとする。これに対し、「止まる地点」では、表示領域Ａ２は表示領域Ａ１，Ａ３よりも大きな領域として設定されるとともに、表示領域Ａ２は案内画面１の上段に、表示領域Ａ１，Ａ３はそれぞれ案内画面１の下段に配置されている。例えば、表示領域Ａ１では「急ブレーキが作動しました」というような表示を行い、表示領域Ａ２では「振り戻しにご注意ください」というような表示を行えば、急ブレーキ作動時には表示領域Ａ１の表示内容が強調表示され、「止まる地点」では表示領域Ａ２の表示内容が強調されるので、より必要な情報をより効果的に乗客に伝達することができる。また、表示領域Ａ３では、例えば実施の形態４で説明したスクロール表示などを行うことができる。なお、列車の車両では減速度（固定値）が決められており、急ブレーキを作動させた時の速度が分かれば「止まる地点」を算出することができる。画面作成部３２は、列車情報装置１０，１１から急ブレーキ作動時における列車の速度情報を取得することにより、「止まる地点」を算出することができる。
【０１３１】
なお、表示領域Ａ１，Ａ２を構成する部品コンテンツの拡大、縮小、移動などの動作は、実施の形態１で説明したようにその動作を部品動作定義データに定義することにより、連続的な変化を伴う映像として表示することができる。
【０１３２】
なお、実施の形態４と実施の形態５および６のいずれかまたは両方を組み合わせることができることはいうまでもない。例えば、図１９のような駅名等のスクロール案内を行った後、図３１のような動揺案内を開始することもできるし、あるいは、図３２において、表示領域Ａ１では動揺案内を行い、表示領域Ａ２では図１９のような駅名等のスクロール案内を行うこともできる。さらに、実施の形態２〜６の組合せも可能であることはいうまでもない。
【０１３３】
実施の形態７．
図３４は、本実施の形態における表示装置の構成を示すブロック図である。図３４に示すように、本実施の形態では、表示装置３０は、表示部３３（第１の表示部）に加えて表示部３３Ａ（第２の表示部）を備えている。すなわち、実施の形態１〜６では、画面作成部３２の表示制御のもとで案内コンテンツ等を表示する表示部は一つであるとしたが、本実施の形態では画面作成部３２に２個以上の表示部が接続される場合を考える。なお、図３４におけるその他の構成は、実施の形態１と同様であるので、同一の構成要素には同一の符号を付してその詳細な説明を省略する。
【０１３４】
表示部３３、３３Ａは、それぞれ例えば液晶表示器等の表示器を表している。図３４では、表示部３３，３３Ａはともに同一の装置内に組み込まれて構成されるように記載されているが、例えば表示器３３Ａを表示器３３とは分離した筐体内に設け、画面作成部３２と表示器３３Ａとを伝送線で接続するようにして構成することもできる。つまり、表示部３３，３３Ａはいずれも同一の画面作成部３２の表示制御のもとで映像を表示するという点で表示装置３０の構成要素とみなすことができるが、ハードウェア構成としては、表示部３３，３３Ａを分離して個別に設けることもできるし、双方を同一の装置内に組み込んで設けることもできる。
【０１３５】
画面作成部３２は、表示画面３３用の部品配置定義データ（第１の部品配置定義データ）および部品動作定義データ（第１の部品動作定義データ）を有するとともに、表示画面３３Ａ用の部品配置定義データ（第２の部品配置定義データ）および部品動作定義データ（第２の部品動作定義データ）を有する。そして、画面作成部３２は、表示画面３３用の部品配置定義データおよび部品動作定義データにしたがって、実施の形態１と同様にして、部品コンテンツを組み合わせて、表示画面３３に表示させる案内コンテンツを作成する。また、画面作成部３２は、表示画面３３Ａ用の部品配置定義データおよび部品動作定義データにしたがって、実施の形態１と同様にして、部品コンテンツを組み合わせて、表示画面３３Ａに表示させる案内コンテンツを作成する。
【０１３６】
表示画面３３用に作成される案内コンテンツと表示画面３３Ａ用に作成される案内コンテンツは、表示画面３３用の部品配置定義データおよび部品動作定義データと表示画面３３Ａ用の部品配置定義データおよび部品動作定義データの内容によりそれぞれ決まる。例えば、表示画面３３，３３Ａの双方に対して同じ部品配置定義データおよび部品動作定義データを適用すれば、表示画面３３，３３Ａは同じ案内コンテンツを表示することになる。
【０１３７】
以下では、表示画面３３用の部品配置定義データおよび部品動作定義データと表示画面３３Ａ用の部品配置定義データおよび部品動作定義データの内容を互いに関連付けて連携させることにより、表示画面３３用に作成される案内コンテンツと表示画面３３Ａ用に作成される案内コンテンツとが互いに連携した表示を実現する場合について説明する。
【０１３８】
図３５は、本実施の形態による表示制御の一例を説明するための図である。図３５では、表示部３３の案内画面１と表示部３３Ａの案内画面１Ａとが例えば水平方向に隣接して並べて配置されている。この場合、案内画面１と案内画面１Ａとの間には映像が表示されない間隙が存在しているが、この間隙の幅は表示部３３，３３Ａのハードウェア構成に依存する。したがって、構成によっては、この幅を限りなく０に近づけることも可能である。表示部３３，３３Ａは、例えば、車内のドア上部の鴨居部分や網棚付近の内壁面に隣接して設けることができる。なお、本実施の形態では、表示部は例えば２個の場合について説明するが、３個以上の場合についても同様である。
【０１３９】
案内画面１では、部品コンテンツ９２（第１の部品コンテンツ）が表示領域の例えばほぼ中央に表示されており、この部品コンテンツ９２は軌跡９５Ｄにしたがって案内画面１上を移動する。そして、この部品コンテンツ９２は、案内画面１の右端に達した後は案内画面１外に移動するように案内画面１からは消失し、続いて案内画面１Ａの左端から例えば部品コンテンツ９２と同じ形状の部品コンテンツ９２Ａ（第２の部品コンテンツ）が案内画面１Ａ上に出現し、この部品コンテンツ９２Ａは軌跡９５Ｄにしたがって案内画面１Ａ上を移動する。ここで、軌跡９５Ｄは案内画面１，１Ａに跨る軌跡である。つまり、案内画面１，１Ａがあたかも一画面であるかのように案内画面１上の部品コンテンツ９２の動作と案内画面１Ａ上の部品コンテンツ９２Ａの動作とが連携している。例えば、部品コンテンツ９２，９２Ａを「ボール」を表す部品コンテンツとしたときに、案内画面１上の所定の箇所から投げられた「ボール」が表示部３３，３３Ａ間の間隙を越えて案内画面１Ａ上に移動する場合などである。
【０１４０】
案内画面１上の部品コンテンツ９２の動作と案内画面１Ａ上の部品コンテンツ９２Ａの動作との連携は、表示画面３３用の部品配置定義データおよび部品動作定義データと表示画面３３Ａ用の部品配置定義データおよび部品動作定義データの内容を、当該連携動作を実現するように規定することで画面作成部３２により実現される。例えば、部品コンテンツ９２については、時刻ｔ０から時刻ｔ１まで軌跡９５Ｄにしたがって案内画面１上を移動するよう表示画面３３用の部品配置定義データおよび部品動作定義データを規定し、部品コンテンツ９２Ａについては、時刻ｔ２から時刻ｔ３まで軌跡９５Ｄにしたがって案内画面１Ａ上を移動するよう表示画面３３Ａ用の部品配置定義データおよび部品動作定義データを規定し、さらにｔ２＞ｔ１とする。
【０１４１】
また、案内画面１，１Ａ内の下側では、実施の形態２で説明したテロップ表示がなされている。この際、テロップ表示の表示内容は、矢印の方向にしたがって案内画面１，１Ａを跨ってスクロールしている。すなわち、案内画面１上のパーツ９５と案内画面１Ａ上のパーツ９５Ａでは、それぞれ「情報：○○○△△△×××□□」を表示する部品コンテンツが矢印の方向に連携移動することにより、案内画面１，１Ａを跨がるスクロール表示を実現している。具体的には、案内画面１上で移動させる「情報：○○○△△△×××□□」を表示する部品コンテンツ（第１の部品コンテンツ）と案内画面１Ａ上で移動させる「情報：○○○△△△×××□□」を表示する部品コンテンツ（第２の部品コンテンツ）の動作を連携させ、案内画面１，１Ａを跨がって「情報：○○○△△△×××□□」の表示がスクロールするようにすればよい。その詳細は、実施の形態２，４、および上記の部品コンテンツ９２，９２Ａの連係動作の組合せから明らかである。
【０１４２】
本実施の形態によれば、表示部３３，３３Ａの双方を一つのワイド画面のように利用することができるので、このワイド画面表示により提供する情報量を増加できるとともに表現力も向上する。この際、表示部３３，３３Ａは、例えば、車両内のドア上部の鴨居部分や網棚付近の内壁面に隣接して設けることができる。なお、表示部３３，３３Ａは例えば水平方向に並べて配置する例について説明したが、例えば上下方向に並べて配置し、上記と同様に表示部３３，３３Ａの表示内容の連携を図ることもできる。
【産業上の利用可能性】
【０１４３】
以上のように、本発明は、乗客への情報提供量を増やしかつデータ記憶容量を大幅に低減できる映像情報配信表示システムおよび映像情報配信表示方法として有用である。
【符号の説明】
【０１４４】
１  案内画面
６  画面作成指示ファイル
６Ａ  初期ファイル
６Ｂ  差分ファイル
８  画像ファイル
１０，１１  列車情報装置
１２  伝送路
２０  映像情報配信装置
２１  分岐装置
２２  伝送路
３０  表示装置
３１  記憶部
３１Ａ  部品コンテンツ記憶部
３１Ｂ  部品配置定義データ記憶部
３１Ｃ  部品動作定義データ記憶部
３１Ｄ  案内表示順データ記憶部
３２  画面作成部
３２Ａ  画面作成指示ファイル生成部
３２Ｂ  画像ファイル生成部
３３  表示部
５０  無線送受信装置
５１  地上局
６０  列車
７０  車上システム
８０  パーツ
１０１  列車種別
１０２  行先
１０３  号車番号
１０４  案内種別
１０５  駅名
１１０  部品コンテンツ
１１０Ａ  部品コンテンツ
１１０Ｂ  部品コンテンツ
１２０  部品コンテンツ
１２５  部品コンテンツ
【図１】
2012066641.tif 000003
【図２】
2012066641.tif 000004
【図３】
2012066641.tif 000005
【図４】
2012066641.tif 000006
【図５】
2012066641.tif 000007
【図６】
2012066641.tif 000008
【図７】
2012066641.tif 000009
【図８】
2012066641.tif 000010
【図９】
2012066641.tif 000011
【図１０】
2012066641.tif 000012
【図１１】
2012066641.tif 000013
【図１２】
2012066641.tif 000014
【図１３】
2012066641.tif 000015
【図１４】
2012066641.tif 000016
【図１５】
2012066641.tif 000017
【図１６】
2012066641.tif 000018
【図１７】
2012066641.tif 000019
【図１８】
2012066641.tif 000020
【図１９】
2012066641.tif 000021
【図２０】
2012066641.tif 000022
【図２１】
2012066641.tif 000023
【図２２】
2012066641.tif 000024
【図２３】
2012066641.tif 000025
【図２４】
2012066641.tif 000026
【図２５】
2012066641.tif 000027
【図２６】
2012066641.tif 000028
【図２７】
2012066641.tif 000029
【図２８】
2012066641.tif 000030
【図２９】
2012066641.tif 000031
【図３０】
2012066641.tif 000032
【図３１】
2012066641.tif 000033
【図３２】
2012066641.tif 000034
【図３３】
2012066641.tif 000035
【図３４】
2012066641.tif 000036
【図３５】
2012066641.tif 000037
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記案内画面上に表示させる案内コンテンツに応じて、前記列車情報に基づき、前記案内画面の構成に用いられる前記部品コンテンツを前記部品コンテンツ記憶部から選択し、前記部品配置定義データおよび前記部品動作定義データにしたがって、前記案内画面上で前記部品コンテンツの一端側の当該一端を含む一部のみを配置し表示した状態から前記部品コンテンツの他端側の当該他端を含む一部のみを配置し表示した状態まで前記部品コンテンツを前記他端側から前記一端側に僅かずつ移動させることにより、時系列的に連続した前記複数枚のフレームを作成し、これらのフレームを前記表示部にて表示させて滑らかにスクロール表示することを特徴とする映像情報配信表示システム。
【請求項２】
前記画面作成部は、前記案内コンテンツの一つである路線案内コンテンツに応じて、前記列車情報としての停車駅情報に基づき、前記列車の路線上の複数の駅名を到着順に配列した駅名配列を表示する部品コンテンツを前記部品コンテンツ記憶部から選択し、前記部品配置定義データおよび前記部品動作定義データにしたがって、前記案内画面上のスクロール表示領域内において前記複数の駅名のうちの少なくとも始発駅を含み、始発駅側の一部の駅名のみが配置された状態から前記複数の駅名のうちの少なくとも終着駅を含み、終着駅側の一部の駅名のみが配置された状態まで前記駅名配列を表示する部品コンテンツを前記駅名の配列方向に僅かずつ移動させて、スクロール表示することを特徴とする請求項１に記載の映像情報配信表示システム。
【請求項３】
前記画面作成部は、前記路線案内コンテンツに応じて、前記停車駅情報に基づき、始発駅の駅名を表示する部品コンテンツと前記始発駅の次駅から終着駅までの複数の駅名についての前記駅名配列を表示する部品コンテンツを前記部品コンテンツ記憶部から選択し、前記部品配置定義データにしたがって、前記スクロール表示領域内において前記始発駅の次駅を含む複数の駅名が前記終着駅を含まない範囲で配置されかつ前記始発駅から到着順に当該複数の駅名が配列されるよう前記始発駅の駅名を表示する部品コンテンツと前記駅名配列を表示する部品コンテンツを前記案内画面上に配置し、前記部品動作定義データにしたがって、前記始発駅の駅名を表示する部品コンテンツは固定した状態で、前記スクロール表示領域内において前記終着駅を含む複数の駅名が配置された状態まで前記駅名配列を表示する部品コンテンツを前記駅名の配列方向に僅かずつ移動させることにより時系列的に連続した前記複数枚のフレームを作成することを特徴とする請求項２に記載の映像情報配信表示システム。
【請求項４】
前記駅名配列を表示する部品コンテンツの移動方向は水平方向であることを特徴とする請求項３に記載の映像情報配信表示システム。
【請求項５】
前記駅名配列を表示する部品コンテンツによる前記始発駅の次駅から前記終着駅までの各駅の表示は、前記各駅の文字表記が前記水平方向から所定角度傾斜して記載されたものであることを特徴とする請求項４に記載の映像情報配信表示システム。
【請求項６】
前記駅名配列を表示する部品コンテンツは、前記始発駅の次駅から前記終着駅までの各駅の駅名をそれぞれ表示する駅数分の部品コンテンツからなることを特徴とする請求項５に記載の映像情報配信表示システム。
【請求項７】
前記画面作成部は、前記案内コンテンツの一つであるホームの設備案内コンテンツに応じて、前記列車情報としての停車駅情報に基づき、次停車駅の少なくともホームとこのホームの設備の断面構成を含む駅設備案内の部品コンテンツを前記部品コンテンツ記憶部から選択し、前記部品配置定義データおよび前記部品動作定義データにしたがって、前記案内画面上のスクロール表示領域内において前記ホームと前記ホームの設備を合わせた全体のうちの少なくとも前記ホームの一端を含む前記ホームの一端側の一部のみが配置された状態から前記ホームと前記ホームの設備を合わせた全体のうちの少なくとも前記ホームの他端を含む前記ホームの他端側の一部のみが配置された状態まで前記駅設備案内の部品コンテンツを一方向に僅かずつ移動させて、スクロール表示することを特徴とする請求項１に記載の映像情報配信表示システム。
【請求項８】
前記一方向は水平方向であることを特徴とする請求項７に記載の映像情報配信表示システム。
【請求項９】
前記ホームの設備は、前記ホームに連絡する階段、エスカレータ、エレベータ、売店、自動販売機、またはトイレであることを特徴とする請求項８に記載の映像情報配信表示システム。
【請求項１０】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記列車が走行中に揺れる地点を通過することを乗客に案内するための前記案内コンテンツの一つである動揺案内コンテンツに応じて、前記列車情報に基づき、前記動揺案内コンテンツの構成に用いられる部品コンテンツを前記部品コンテンツ記憶部から選択し、前記部品配置定義データにしたがって、選択された前記部品コンテンツを前記案内画面上に配置し、前記部品動作定義データにしたがって、配置された前記部品コンテンツを前記案内画面上で僅かずつ動作させることにより時系列的に連続した前記複数枚のフレームを作成し、これらのフレームを前記表示部にて表示することを特徴とする映像情報配信表示システム。
【請求項１１】
前記画面作成部は、前記列車情報として前記列車のキロ程情報と前記揺れる地点のキロ程情報を前記列車情報装置から取得し、前記列車のキロ程と前記揺れる地点のキロ程との差が所定の距離以下であると判定した時に、前記動揺案内コンテンツの前記フレームによる表示を開始することを特徴とする請求項１０に記載の映像情報配信表示システム。
【請求項１２】
前記画面作成部は、前記列車情報として前記列車の速度情報を前記列車情報装置から取得し、前記列車の速度に応じて、前記案内画面上における前記動揺案内コンテンツを表示する表示領域を拡大しまたは縮小しまたは移動させることを特徴とする請求項１１に記載の映像情報配信表示システム。
【請求項１３】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記案内コンテンツの一つである急停車案内コンテンツに応じて、前記列車情報としての急ブレーキ作動情報に基づき、急ブレーキ作動後前記列車の停車時に発生する振り戻しに注意すべき旨を表示する部品コンテンツを前記部品コンテンツ記憶部から選択し、前記部品配置定義データにしたがって、前記振り戻しに注意すべき旨を表示する部品コンテンツを前記案内画面上に配置し、前記部品動作定義データにしたがって、前記振り戻しに注意すべき旨を表示する部品コンテンツを前記案内画面上で僅かずつ動作させることにより時系列的に連続した前記複数枚のフレームを作成し、これらのフレームを前記表示部にて表示することを特徴とする映像情報配信表示システム。
【請求項１４】
前記画面作成部は、前記列車情報として前記列車の速度情報を前記列車情報装置から取得し、前記急ブレーキ作動後、前記列車の速度が所定速度以下に達したか否かを判定し、その速度が前記所定速度以下に達したと判定した場合に、前記振り戻しに注意すべき旨を表示する部品コンテンツを用いた前記フレームによる前記急停車案内コンテンツの表示を開始することを特徴とする請求項１３に記載の映像情報配信表示システム。
【請求項１５】
前記画面作成部は、前記列車情報として前記列車の速度情報を前記列車情報装置から取得し、前記急ブレーキ作動後、前記列車の速度に応じて、前記案内画面上における前記急停車案内コンテンツを表示する表示領域を拡大しまたは縮小しまたは移動させることを特徴とする請求項１４に記載の映像情報配信表示システム。
【請求項１６】
列車を構成する各車両にそれぞれ搭載され、相互に連係して列車情報を管理する列車情報装置と、
前記各車両にそれぞれ搭載され、案内画面を表示する表示部を有する表示装置と、
前記案内画面の構成に用いられる部品レベルのコンテンツである部品コンテンツを記憶する部品コンテンツ記憶部と、
前記案内画面上での前記部品コンテンツの配置を定義する部品配置定義データを記憶する部品配置定義データ記憶部と、
前記案内画面上での前記部品コンテンツ自体の動作を個別に定義する部品動作定義データを記憶する部品動作定義データ記憶部と、
前記案内画面上に表示させる案内コンテンツに応じて、前記列車情報装置から得られた前記列車情報に基づき、前記案内画面の構成に用いられる前記部品コンテンツを前記部品コンテンツ記憶部から選択し、選択された前記部品コンテンツを前記部品配置定義データにしたがって前記案内画面上に配置し、配置された前記部品コンテンツを前記部品動作定義データにしたがって前記案内画面上で僅かずつ変化させて得られる時系列的に連続した複数枚のフレームを作り出す元となる画像ファイルを前記フレームごとに順次作成し、これらの画像ファイルに基づく前記フレームを前記表示部にて時系列的に表示する画面作成部と、
を備え、
前記画面作成部は、前記案内コンテンツとは異なる動画または静止画からなる広告コンテンツを前記案内画面上で表示中に、前記広告コンテンツ全体を前記案内画面内で縮小して表示しつつ、前記部品配置定義データおよび前記部品動作定義データにしたがい、前記広告コンテンツの縮小により前記案内画面内に形成された余白部分に前記案内コンテンツを構成する部品コンテンツとは異なる部品コンテンツを組み込んで表示することを特徴とする映像情報配信表示システム。
【請求項１７】
前記画面作成部は、列車外からまたは列車上で入力された臨時情報または定型情報の内容を描画に加工した部分コンテンツを作成し、この作成された部品コンテンツを前記余白部分に配置し移動させることを特徴とする請求項１６に記載の映像情報配信表示システム。
【請求項１８】
前記表示装置は、第１の表示部とこの第１の表示部に隣接して並置された第２の表示部とを有し、
前記部品配置定義データ記憶部は、前記第１の表示部の案内画面上における第１の部品コンテンツの配置を定義する第１の部品配置定義データ、および前記第２の表示部の案内画面上における第２の部品コンテンツの配置を定義する第２の部品配置定義データを記憶し、
前記部品動作定義データ記憶部は、前記第１の表示部の案内画面上における前記第１の部品コンテンツの動作を定義する第１の部品動作定義データ、および前記第１の部品コンテンツの動作と連携した前記第２の表示部の案内画面上における前記第２の部品コンテンツの動作を定義する第２の部品動作定義データを記憶し、
前記画面作成部は、前記第１の部品配置定義データおよび前記第１の部品動作定義データにしたがって、前記第１の部品コンテンツを前記第１の表示部の案内画面上で動作させることにより前記第１の表示部にて表示を行うとともに、前記第２の部品配置定義データおよび前記第２の部品動作定義データにしたがって、前記第２の部品コンテンツを前記第２の表示部の案内画面上で動作させることにより前記第２の表示部にて表示を行うことを特徴とする請求項１に記載の映像情報配信表示システム。
【請求項１９】
前記第１の部品コンテンツと前記第２の部品コンテンツは同一の表示内容を表し、
前記第１および第２の部品動作定義データは、前記第１の部品コンテンツが前記第１の表示部の案内画面上を前記第２の表示部側に向かって移動し、前記第１の部品コンテンツが前記第１の表示部の表示画面の端に達し当該案内画面から順次消失した後は、前記第１の部品コンテンツに代わって前記第２の部品コンテンツが前記第２の表示部の案内画面上で前記第１の表示部側の端から順次出現し、さらに前記第２の部品コンテンツは前記第２の表示部の案内画面上を移動するよう前記第１および第２の部品コンテンツの動作を規定していることを特徴とする請求項１８に記載の映像情報配信表示システム。
【請求項２０】
前記第１および第２の表示部は、前記車両内のドア上部の鴨居部分または網棚付近の内壁面に水平方向に隣接して並置されていることを特徴とする請求項１８に記載の映像情報配信表示システム。
【請求項２１】
前記画面作成部が１秒間に作成するフレームの枚数は、３０〜６０枚に設定されることを特徴とする請求項１に記載の映像情報配信表示システム。
【請求項２２】
前記部品コンテンツ記憶部では、前記部品コンテンツがベクターデータとして保存されていることを特徴とする請求項１に記載の映像情報配信表示システム。
【請求項２３】
列車を構成する各車両にそれぞれ搭載され相互に連係して列車情報を管理する列車情報装置と、前記各車両にそれぞれ搭載され案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部とが搭載された列車内において前記表示装置の表示部にて映像情報を表示させる映像情報配信表示方法であって、
前記表示装置の画面作成部が、前記列車情報装置から前記列車情報を取得する第１のステップと、
前記画面作成部が、前記案内画面上に表示させる案内コンテンツに応じて、前記列車情報に基づき、前記案内画面の構成に用いられる前記部品コンテンツを前記部品コンテンツ記憶部から選択する第２のステップと、
前記画面作成部が、前記案内画面上において前記部品配置定義データにしたがって前記部品コンテンツの一端側の一部のみが配置された状態から前記部品動作定義データにしたがって前記部品コンテンツの他端側の一部のみが配置された状態まで前記部品コンテンツを前記他端側から前記一端側に僅かずつ移動させることにより、時系列的に連続した複数枚のフレームを作り出す元となる画像ファイルを前記フレームごとに順次作成し、これらの画像ファイルに基づく前記フレームを前記表示部にて時系列的に表示させて滑らかにスクロール表示する第３のステップと、
を含むことを特徴とする映像情報配信表示方法。
【請求項２４】
前記第２のステップでは、前記画面作成部は、前記案内コンテンツの一つである路線案内コンテンツに応じて、前記列車情報としての停車駅情報に基づき、前記列車の路線上の複数の駅名を到着順に配列した駅名配列を表示する部品コンテンツを前記部品コンテンツ記憶部から選択し、
前記第３のステップでは、前記画面作成部は、前記部品配置定義データおよび前記部品動作定義データにしたがって、前記案内画面上のスクロール表示領域内において前記複数の駅名のうちの少なくとも始発駅を含み、始発駅側の一部の駅名のみが配置された状態から前記複数の駅名のうちの少なくとも終着駅を含み、終着駅側の一部の駅名のみが配置された状態まで前記駅名配列を表示する部品コンテンツを前記駅名の配列方向に僅かずつ移動させて、スクロール表示することを特徴とする請求項２３に記載の映像情報配信表示方法。
【請求項２５】
前記第２のステップでは、前記画面作成部は、前記案内コンテンツの一つであるホームの設備案内コンテンツに応じて、前記列車情報としての停車駅情報に基づき、次停車駅の少なくともホームとこのホームの設備の断面構成を含む駅設備案内の部品コンテンツを前記部品コンテンツ記憶部から選択し、
前記第３のステップでは、前記画面作成部は、前記部品配置定義データおよび前記部品動作定義データにしたがって、前記案内画面上のスクロール表示領域内において前記ホームと前記ホームの設備を合わせた全体のうちの少なくとも前記ホームの一端を含む前記ホームの一端側の一部のみが配置された状態から前記ホームと前記ホームの設備を合わせた全体のうちの少なくとも前記ホームの他端を含む前記ホームの他端側の一部のみが配置された状態まで前記駅設備案内の部品コンテンツを一方向に僅かずつ移動させて、スクロール表示することを特徴とする請求項２３に記載の映像情報配信表示方法。
【請求項２６】
列車を構成する各車両にそれぞれ搭載され相互に連係して列車情報を管理する列車情報装置と、前記各車両にそれぞれ搭載され案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部とが搭載された列車内において前記表示装置の表示部にて映像情報を表示させる映像情報配信表示方法であって、
前記表示装置の画面作成部が、前記列車情報装置から前記列車情報を取得する第１のステップと、
前記画面作成部が、前記案内画面上に表示させる案内コンテンツであって前記列車が走行中に揺れる地点を通過することを乗客に案内するための案内コンテンツの一つである動揺案内コンテンツに応じて、前記列車情報に基づき、前記案内画面の構成に用いられる前記部品コンテンツを前記部品コンテンツ記憶部から選択する第２のステップと、
前記画面作成部が、前記部品配置定義データにしたがって、選択された前記部品コンテンツを前記案内画面上に配置し、前記部品動作定義データにしたがって、配置された前記部品コンテンツを前記案内画面上で僅かずつ動作させることにより時系列的に連続した前記複数枚のフレームを作成し、これらのフレームを前記表示部にて表示する第３のステップと、
を含むことを特徴とする映像情報配信表示方法。
【請求項２７】
列車を構成する各車両にそれぞれ搭載され相互に連係して列車情報を管理する列車情報装置と、前記各車両にそれぞれ搭載され案内画面を表示する表示部を有する表示装置と、前記案内画面の構成に用いられる部品レベルのコンテンツである部品コンテンツを記憶する部品コンテンツ記憶部と、前記案内画面上での前記部品コンテンツの配置を定義する部品配置定義データを記憶する部品配置定義データ記憶部と、前記案内画面上での前記部品コンテンツ自体の動作を個別に定義する部品動作定義データを記憶する部品動作定義データ記憶部とが搭載された列車内において前記表示装置の表示部にて映像情報を表示させる映像情報配信表示方法であって、
前記表示装置の画面作成部が、前記列車情報装置から前記列車情報を取得する第１のステップと、
前記画面作成部が、前記案内画面上に表示させる案内コンテンツの一つである急停車案内コンテンツに応じて、前記列車情報としての急ブレーキ作動情報に基づき、前記案内画面の構成に用いられる前記部品コンテンツであって急ブレーキ作動後前記列車の停車時に発生する振り戻しに注意すべき旨を表示する部品コンテンツを前記部品コンテンツ記憶部から選択する第２のステップと、
前記部品配置定義データにしたがって、前記振り戻しに注意すべき旨を表示する部品コンテンツを前記案内画面上に配置し、前記部品動作定義データにしたがって、前記振り戻しに注意すべき旨を表示する部品コンテンツを前記案内画面上で僅かずつ動作させることにより時系列的に連続した前記複数枚のフレームを作成し、これらのフレームを前記表示部にて表示する第３のステップと、
を含むことを特徴とする映像情報配信表示方法。
【手続補正２】
【補正対象書類名】明細書
【補正対象項目名】０１０１
【補正方法】変更
【補正の内容】
【０１０１】
次に、上記スクロール表示を表示装置３０内の処理と関連付けて説明する。図２０は、路線案内のスクロール表示を説明するための図であり、（ａ）は初期画面、（ｂ）はスクロール中の画面、（ｃ）はスクロール停止後の画面を表している。スクロール方向はＳＣで表している。固定部４０は例えば路線案内を表示する領域であり、頂点Ｐ１，Ｐ３，Ｐ６，Ｐ４により規定される例えば矩形領域である。始発駅表示領域４１は、固定部４０内の例えば矩形領域であり、頂点Ｐ１，Ｐ２，Ｐ５，Ｐ４により規定される。スクロール表示領域４２は、固定部４０内の例えば矩形領域であり、頂点Ｐ２，Ｐ３，Ｐ６，Ｐ５により規定され、スクロール表示がなされる領域である。部品コンテンツＫ１〜Ｋ１９はそれぞれ駅名を表示するパーツである。なお、「Ｇ０１」〜「Ｇ１９」、「分」、予想到着時間の表示についても部品コンテンツとして同様に説明することができるので、これらについての説明は省略する。また、案内画面１の上段部分については、例えば実施の形態１〜３で説明した処理と同様の処理により表示することができるので詳細は省略する。
【手続補正３】
【補正対象書類名】明細書
【補正対象項目名】０１０８
【補正方法】変更
【補正の内容】
【０１０８】
次に、画像ファイル生成部３２Ｂは、初期ファイル６Ａに基づいて画像ファイルを作成し、この画像ファイルにより１枚目のフレームを表示部３３にて表示する（図１９（ａ））。さらに、画像ファイル生成部３２Ｂは、初期ファイル６Ａおよび差分ファイル６Ｂに基づいて順次画像ファイルを作成し、各画像ファイルにより２枚目以降のフレームを順次表示部３３にて表示する（図１９（ｂ），（ｃ））。画像ファイル生成部３２Ｂは、路線案内の表示後には、画像ファイルを消去することができる。これらの処理の詳細は実施の形態１で説明したとおりである。その結果、スクロール表示領域４２内では、直線的に配列された駅名がスクロール方向ＳＣに僅かずつ移動して滑らかにスクロール表示されるとともに、スクロール表示領域４２外では部品コンテンツＫ２〜Ｋ１９のいずれも表示されないように表示制御される。「Ｇ０２」〜「Ｇ１９」、予想到着時間の表示についても同様である。
【国際調査報告】
2012066641.tif 000038
2012066641.tif 000039
2012066641.tif 000040
2012066641.tif 000041